(57)【要約】 【課題】従来の液晶表示パネルでは、バックライトの分割された各バックライトブロック毎に光センサ部を設ける必要があるので、光源のばらつき等による色ずれを抑えるためには、コストが増加する。【解決手段】バックライト制御部１９がＮ個のバックライトブロック１１のそれぞれについて予め定められた手順による制御を行うことにより、Ｍ個の光センサ部２６が検知した検知結果を利用して、所定のルールに基づいて、Ｎ個のバックライトブロック１１それぞれの光源の輝度及び／または色度を算出する演算部３２と、演算部３２による算出結果に基づいて、Ｎ個のバックライトブロック１１それぞれの光源の輝度及び／または色度の補正を行う調光部１８とを備える。【選択図】図５
2008096928.tif 000002
【特許請求の範囲】
【請求項１】
アクティブマトリクス方式の液晶表示パネルと、
光源が配置されており前記光源から出た光により前記液晶表示パネルを照明するバックライトブロックをＮ個（Ｎは、２以上の整数）有し、前記Ｎ個のバックライトブロックの一のバックライトブロックから出た光の一部が他のバックライトブロックに伝搬するように前記バックライトブロック同士に仕切部が形成されたバックライトと、
前記Ｎ個のバックライトブロックのうちＭ個（Ｍは、１以上、Ｎ−１以下の整数）のバックライトブロックにそれぞれ配置され、前記Ｍ個のバックライトブロックの光を検知するためのＭ個の光センサ部と、
前記Ｎ個のバックライトブロックのそれぞれについて点灯と消灯とを予め定められた手順により制御するバックライト制御部と、
前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算部と、
前記演算部による算出結果に基づいて、前記Ｎ個のバックライトブロックそれぞれの前記光源の輝度及び／または色度の補正を行う調光部とを備えた液晶表示装置。
【請求項２】
所定の基準に基づいて、調光モードかどうかを判定する調光モード判定部を備え、
前記点灯と消灯とを予め定められた手順により制御するとは、前記調光モード判定部が、前記調光モードであると判定した場合に行う制御であり、
前記演算部は、調光モード判定部が前記調光モードであると判定した場合、前記Ｎ個のバックライトブロックそれぞれの光源の輝度及び／または色度を算出する、請求項１記載の液晶表示装置。
【請求項３】
１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記調光モード判定部が、前記調光モードであると判定しない場合、前記バックライト制御部は、前記黒挿入駆動に連動した制御を行う、請求項２記載の液晶表示装置。
【請求項４】
前記液晶表示パネルは、３原色の各色の表示期間と、前記各色の表示期間の前にそれぞれ設けられた黒挿入期間とが、１フィールドまたは１フレームの期間内に設けられているフィールドシーケンシャル方式の液晶表示パネルであり、
１フィールドまたは１フレームの期間内に設けられた前記各色の表示期間及びその後の前記黒挿入期間のうち、（１）前記黒挿入期間には、黒色のデータに対応する電圧を前記液晶表示パネルの信号線に供給し、（２）前記各色の表示期間には、前記各色の表示データに対応する電圧を前記液晶前記信号線に供給する黒挿入駆動を行うソースドライバを備え、
前記調光モード判定部が、前記調光モードであると判定しない場合、前記バックライト制御部は、前記黒挿入駆動に連動した制御を行う、請求項２記載の液晶表示装置。
【請求項５】
所定の基準に基づいて、調光モードかどうかを判定する調光モード判定部を備え、
前記点灯と消灯とを予め定められた手順により制御するとは、前記液晶表示パネルの駆動に連動するように前記Ｎ個のバックライトブロックのそれぞれについて点灯と消灯とを制御することであり、
前記演算部は、調光モード判定部が前記調光モードであると判定した場合、前記Ｎ個のバックライトブロックそれぞれの光源の輝度及び／または色度を算出する、請求項１記載の液晶表示装置。
【請求項６】
１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記調光モード判定部が、前記調光モードであると判定しるか否かにかかわらず、前記バックライト制御部は、前記黒挿入駆動に連動した制御を行う、請求項５記載の液晶表示装置。
【請求項７】
前記液晶表示パネルは、３原色の各色の表示期間と、前記各色の表示期間の前にそれぞれ設けられた黒挿入期間とが、１フィールドまたは１フレームの期間内に設けられているフィールドシーケンシャル方式の液晶表示パネルであり、
１フィールドまたは１フレームの期間内に設けられた前記各色の表示期間及びその後の前記黒挿入期間のうち、（１）前記黒挿入期間には、黒色のデータに対応する電圧を前記液晶表示パネルの信号線に供給し、（２）前記各色の表示期間には、前記各色の表示データに対応する電圧を前記液晶表示パネルの前記信号線に供給する黒挿入駆動を行うソースドライバを備え、
前記調光モード判定部が、前記調光モードであると判定するか否かにかかわらず、前記バックライト制御部は、前記黒挿入駆動に連動した制御を行う、請求項５記載の液晶表示装置。
【請求項８】
前記液晶表示パネルの温度を検知する温度検知部を有し、
前記調光モード判定部は、前記温度検知部が検知した温度が所定の値以上変化した場合に、前記調光モードであると判定する、請求項２または５に記載の液晶表示装置。
【請求項９】
前記調光モード判定部は、所定の時間が経過する毎に前記調光モードであると判定する、請求項２または５に記載の液晶表示装置。
【請求項１０】
前記調光モード判定部は、前記調光を行うための指示が入力された場合、前記調光モードであると判定する、請求項２または５に記載の液晶表示装置。
【請求項１１】
前記所定のルールを記憶する記憶部を備え、
前記所定のルールとは、前記バックライト制御部が前記Ｎ個のバックライトブロックを制御することにより、前記Ｎ個のバックライトユニットが点灯消灯する複数通りの点灯消灯パターンのそれぞれの点灯消灯パターン毎に前記Ｍ個の光センサ部が検知した複数通りの輝度検知結果から、前記Ｎ個のバックライトブロックの各輝度及び／または色度を求めるための演算式である、請求項１記載の液晶表示装置。
【請求項１２】
前記光センサ部は、３原色のカラーフィルタ付きの３つの光検出素子である、請求項１記載の液晶表示装置。
【請求項１３】
アクティブマトリクス方式の液晶表示パネルと、
光源が配置されており前記光源から出た光により前記液晶表示パネルを照明するバックライトブロックをＮ個（Ｎは、２以上の整数）有し、前記Ｎ個のバックライトブロックの一のバックライトブロックから出た光の一部が他のバックライトブロックに伝搬するように前記バックライトブロック同士に仕切部が形成されたバックライトと、
前記Ｎ個のバックライトブロックのうちＭ個（Ｍは、１以上、Ｎ−１以下の整数）のバックライトブロックにそれぞれ配置され、前記Ｍ個のバックライトブロックの光を検知するためのＭ個の光センサ部とを備えた液晶表示装置を駆動する液晶表示装置の駆動方法であって、
前記Ｎ個のバックライトブロックのそれぞれについて点灯と消灯とを予め定められた手順により制御するバックライト制御ステップと、
前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算ステップと、
前記演算部による算出結果に基づいて、前記Ｎ個のバックライトブロックそれぞれの前記光源の輝度及び／または色度の補正を行う調光ステップとを備えた液晶表示装置の駆動方法。
【請求項１４】
請求項１記載の液晶表示装置の、前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算部としてコンピュータを機能させるためのプログラム。
【請求項１５】
請求項１４記載のプログラムを記録した記録媒体であって、コンピュータにより処理可能な記録媒体。
【発明の詳細な説明】
【技術分野】
【０００１】
本発明は、複数のバックライトブロックに分割されたバックライトを備えた液晶表示装置、液晶表示装置の駆動方法、プログラム、及び記録媒体に関するものである。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１５は、ＯＣＢモードの液晶表示素子が有する液晶分子の配向状態を模式的に示した断面図である。図１５（ａ）および図１５（ｂ）は、電圧印加状態を示した断面図であり、図１５（ｃ）は、電圧無印加状態を示した断面図である。
【０００５】
ＯＣＢモードの液晶表示素子を用いた液晶表示装置を構成する液晶表示パネルのガラス基板６１の間には、図１５（ａ）等に液晶分子６２として示すように、ネマチック液晶が注入されている。そして、電圧を印加していない液晶の配向状態は、スプレイ状態６３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１５（ｃ）に示すスプレイ状態６３から図１５（ａ）、図１５（ｂ）に示すベンド状態６４ａ、６４ｂに転移させる駆動のことを言う。このベンド状態６４ａ、６４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図１５（ａ）に示すベンド状態６４ａは、白表示をしている場合のベンド状態を示し、図１５（ｂ）のベンド状態６４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために画素に黒色に対応する電圧を印加する動作と、映像信号に対応する電圧を印加する動作とを交互に行う、２倍速変換と呼ばれる逆転移防止駆動がある（例えば、特許文献１参照）。以下この２倍速変換を黒挿入駆動と呼ぶ。
【０００９】
従って、従来のＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【００１０】
上述した、黒挿入駆動を用いることにより、ＯＣＢモードの液晶表示素子を用いた液晶表示装置の表示を、ＣＲＴのようなインパルス型の表示に近づけることが出来る。ＯＣＢモードの液晶表示素子の利点である高速応答性を利用することが出来るからである。黒挿入駆動を用いることにより、動画視認性を向上させるとともに、高いコントラストの表示を行うことが出来る。
【００１１】
なお、現在広く使用されているＴＮ（Ｔｗｉｓｔｅｄ  Ｎｅｍａｔｉｃ）配向液晶表示パネルにおいても、動画視認性を向上させるために、上述した２倍速変換が用いられることがある。このような場合の液晶表示装置の駆動も、黒挿入駆動と呼ぶことにする。
【００１２】
さらに、近年は、ＬＥＤを用いたバックライトの普及や、冷陰極管の高速応答性が向上したことに伴い、ソースドライバ等による液晶表示パネルの駆動に連動してバックライトを駆動するバックライトの駆動方式も実施されつつある。
【００１３】
図１６は、黒挿入駆動を行うとともに、ソースドライバ等による液晶表示パネルの駆動に連動してバックライトを駆動する従来の液晶表示装置１０１のブロック図である。
【００１４】
液晶表示装置１０１は、液晶表示パネル１０、バックライト１１１、ソースドライバ２、ゲートドライバ３、コントローラ４、フレームメモリ２２、入力電源１６、液晶駆動電圧発生回路１７、調光部１１８、バックライト制御部１１９、及び光センサ部１２６を備えている。
【００１５】
液晶表示パネル１０は、アクティブマトリクス方式の液晶表示パネルである。すなわち、液晶表示パネル１０は、アレイ基板上に、信号線と走査線とがマトリックス状に配置され、それらの交点毎にスイッチング素子及び画素電極が形成されており、そのアレイ基板と対向電極が形成された対向基板との間に液晶層が狭持されている。そして、この液晶層としてＯＣＢモード液晶が用いられている。また、液晶表示パネル１０の対向基板には、赤色、緑色、及び青色のカラーフィルタが形成されている。
【００１６】
バックライト１１１は、液晶表示パネル１０の背面に配置されており、複数のバックライトブロックに分割されており、各バックライトブロックにはそれぞれ光源であるＬＥＤ及び導光板が設けられている。
【００１７】
図１７（ａ）及び図１７（ｂ）に、バックライト１１１の概要を示す。図１７（ａ）は、液晶表示パネル１０の表示面と直交する方向から見たバックライト１１１の平面図であり、図１７（ｂ）は、バックライト１１１の側面図である。
【００１８】
図１７（ａ）及び図１７（ｂ）に示すように、バックライト１１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。また、複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。
【００１９】
そして、各バックライトブロック１５ａ〜１５ｅには、それぞれ光センサ部１６ａ〜１６ｅ（図１６における光センサ部１２６に対応）が配置されている。
【００２０】
入力電源１６は、バックライト１１１、コントローラ４、液晶駆動電圧発生回路１７、及び調光部１１８等に電力を供給するものである。
【００２１】
液晶駆動電圧発生回路１７は、ソースドライバ２およびゲートドライバ３に供給する電圧を調整する回路である。
【００２２】
ゲートドライバ３は、液晶表示パネル１０の走査線にゲート信号を供給する回路である。
【００２３】
ソースドライバ２は、表示期間には表示用信号に対応する電圧を供給し、黒挿入期間には黒色に対応する電圧を、液晶表示パネル１０の信号線に供給する回路である。
【００２４】
コントローラ４は、信号処理部２１、及びタイミング制御部２３を備えており、ソースドライバ２は、Ｄ／Ａ変換部２４およびシフトレジスタ２５を備えている。
【００２５】
調光部１１８は、光センサ部１２６（図１７（ａ）、図１７（ｂ）の光センサ部１６ａ〜１６ｅに対応）によって検知されたバックライト１１１（図１７（ａ）、図１７（ｂ）のバックライトブロック１５ａ〜１５ｅに対応）の各輝度に基づいて、バックライト１１１を構成する複数のバックライトブロック１５ａ〜１５ｅの各光源１３ａ〜１３ｅ、及び１４ａ〜１４ｅの輝度及び／または色度を調整する回路である。
【００２６】
タイミング制御部２３は、ゲートドライバ３を動作させるタイミングや、画像信号をソースドライバ２に送るタイミングを制御するとともに、バックライト１１１の点灯消灯を、ソースドライバ２等による液晶表示パネル１０の駆動に連動させるための信号であるバックライト制御信号をバックライト制御部１１９に送る回路である。
【００２７】
バックライト制御部１１９は、タイミング制御部２３から送られてくるバックライト制御信号に従って、バックライト１１１の点灯消灯を制御するものである。
【００２８】
フレームメモリ２２は、１画面分の映像信号を格納するメモリである。
【００２９】
次に、このような従来の液晶表示装置１０１の動作を説明する。
【００３０】
液晶表示装置１０１の電源が入れられた際には、液晶表示パネル１０の液晶層は、図１５（ｃ）に示すようにスプレイ状態６３のままであるので、図１５（ａ）のベンド状態６４ａや図１５（ｂ）のベンド状態６４ｂに転移させる必要がある。そこで、液晶表示装置１０１の電源が入れられた際には、液晶表示装置１０１は、液晶層をスプレイ状態からベンド状態に転移させるために転移駆動を行う。すなわち、ソースドライバ２は、画素電極と対向電極との間の電圧が所定の時間だけ２０ボルトから２５ボルトという映像を表示する際の電圧よりも高い電圧になるように、転移駆動のための電圧として、信号線に２０ボルトから２５ボルトの電圧を印加する。従って、液晶層には転移駆動のための電圧が所定時間印加されることになるので、液晶表示パネル１０の液晶層は、スプレイ状態からベンド状態に転移し、液晶表示装置１０１の表示動作が可能となる。
【００３１】
上記のように転移駆動が完了し、表示動作が可能になると、液晶表示装置１０１は表示動作を開始する。
【００３２】
ＲＧＢデータである映像信号が、１画面分だけフレームメモリ２２に格納されると、信号処理部２１は、フレームメモリ２２から読み出した映像信号に対して階調補正やガンマ補正処理を行なうとともに、１水平走査期間のデータ毎に、１水平走査期間の前側が黒挿入用の黒色データ、後ろ側が２倍速の映像信号となるように変換して、シフトレジスタ２５に格納していく。
【００３３】
そして、コントローラ４のタイミング制御部２３は、液晶表示装置１０１が表示動作を行う際には、外部から入力される映像信号に応じて、ゲートドライバ３、ソースドライバ２にそれぞれ制御信号を送る。その結果、ゲートドライバ３は、各走査線に走査信号電圧を印加して各画素のスイッチング素子を順次オンさせる。
【００３４】
表示期間には、ソースドライバ２は、ゲートドライバ３が各走査線に走査信号電圧を印加するタイミングに合わせて、各信号線に映像信号に応じた電圧を印加する。そしてゲートドライバ３が走査線に走査信号電圧を印加すると、その走査線に配列されている各画素のスイッチング素子がオン状態になり、各信号線を通じてその走査線上に配列されている各画素に、映像信号に応じた電圧が書き込まれる。これにより液晶表示パネル１０の液晶分子６２が変調され、バックライト１１１から出射される光の透過率が変化する。その結果、映像信号に対応する画像が液晶表示パネル１０に表示される。
【００３５】
また、黒挿入期間には、ソースドライバ２は、ゲートドライバ３が各走査線に走査信号電圧を印加するタイミングに合わせて、各信号線に黒色に対応する電圧を印加する。そしてゲートドライバ３が走査線に走査信号電圧を印加すると、その走査線に配列されている各画素のスイッチング素子がオン状態になり、各信号線を通じてその走査線上に配列されている各画素に、黒色に対応する電圧が書き込まれる。これにより液晶表示パネル１０の液晶分子６２が変調され、バックライト１１１から出射される光の透過率が変化する。その結果、黒色の画像が液晶表示パネル１０に表示される。
【００３６】
さらに、タイミング制御部２３は、上述したソースドライバ２等による液晶表示パネル１０の駆動に連動させるための信号であるバックライト制御信号をバックライト制御部１１９に供給する。バックライト制御信号としては、タイミング制御部２３が、ゲートドライバ３やソースドライバ２に送る制御信号を用いることが出来る。具体的には、バックライト制御信号としては、クロック信号、水平同期信号、及び垂直同期信号などを用いることが出来る。
【００３７】
バックライト制御部１１９は、タイミング制御部２３から送られてくるバックライト制御信号に基づいて、バックライトブロック１５ａ〜１５ｅのそれぞれの点灯消灯を制御する。
【００３８】
すなわち、バックライト制御部１１９は、液晶表示パネル１０の表示画面のうちバックライトブロック１５ａに対向している表示画面の領域について、全ての画素が映像信号に対応する電圧が十分書き込まれているときにバックライトブロック１５ａを点灯させる。そして、バックライト制御部１１９は、液晶表示パネル１０の表示画面のうちバックライトブロック１５ａに対向している表示画面の領域について、いずれかの画素が黒挿入期間にある場合、及び全ての画素に映像信号に対応する電圧がまだ十分書き込まれていない場合には、バックライト１５ａを消灯する。
【００３９】
なお、上記では、バックライト制御部１１９が、液晶表示パネル１０の表示画面のうちバックライトブロック１５ａに対向している表示画面の領域について、いずれかの画素が黒挿入期間にある場合、及び全ての画素の映像信号に対応する電圧がまだ十分かきこまれていない場合には、バックライト１５ａを消灯するとして説明したが、これに限らない。
【００４０】
バックライト制御部１１９が、液晶表示パネル１０の表示画面のうちバックライトブロック１５ａに対向している表示画面の領域について、画素に映像信号に対応する電圧を書き込み始めると同時にバックライトを点灯しても構わない。
【００４１】
バックライト制御部１１９は、同様の制御を、バックライトブロック１５ｂ〜１５ｅに対しても行う。このことを、本発明の実施の形態で用いた図６、図３、図４を参照して以下にさらに詳細に説明する。
【００４２】
図６は、図１６に示した従来の液晶表示装置１０１における２倍速変換による黒挿入駆動時の、黒挿入期間、表示期間、ゲートパルス、及びバックライトブロック１５ａ〜１５ｅの点灯消灯のタイミングチャートの一例を示している。図６において、紙面に向かって左側から右側に時間が経過する。
【００４３】
ＲＧＢデータで入力された映像信号は、いったんフレームメモリ２２に格納され、上述したように信号処理部２１は、フレームメモリ２２から表示用データを読み出す。
【００４４】
そして、信号処理部２１は、１水平走査期間のデータ毎に、１水平走査期間の前側では、黒挿入用の黒色のデータをシフトレジスタ２５に格納し、１水平走査期間の後ろ側に、階調補正やガンマ補正処理などが施され、２倍速に変換した表示用データをシフトレジスタ２５に格納する。
【００４５】
１水平走査期間毎に、シフトレジスタ２５には、これらの１行画素分のデータが順次入力されていき、シフトレジスタ２５に格納されたデータは、Ｄ／Ａ変換部２４で表示色に対応する電圧に変換され、ソースドライバ２からは１行画素分の表示データに対応する電圧が同時に出力されていく。
【００４６】
図６のＧ１〜Ｇ１０は、ゲートドライバ３から各走査線に出力されるゲート信号を示している。また、図６の１５ａ〜１５ｅは、各バックライトブロック１５ａ〜１５ｅの点灯消灯のタイミングを示すものであり、ハイ状態が点灯を表し、ロー状態が消灯を示している。図６においては、理解を容易にするための走査線がＧ１〜Ｇ１０の１０本であるとして図示しているが、実際には多数の走査線がある。例えば、液晶表示パネル１０の表示画面で、横方向に画素が１２８０個配列されており、縦方向に画素が１０２４個配列されている場合には、走査線は１０２４本存在していることになる。
【００４７】
また、図６において、各ゲート信号の右側に示す符号は、各ゲート信号がハイになるタイミングに画素に書き込まれる電圧の種別を示している。表示用データに対応する電圧が画素に書き込まれる場合をＳで示し、黒挿入のための黒色に対応する電圧が画素に書き込まれる場合をＢで示している。
【００４８】
表示用データに対応する電圧がソースドライバ２から出力されるタイミングに合わせて、走査線Ｇ１のゲート信号がハイになり、走査線Ｇ１上の各画素に表示用データに対応する電圧が書き込まれる。次に、表示用データに対応する電圧がソースドライバ２から出力されるタイミングに合わせて、走査線Ｇ２のゲート信号がハイになり、走査線Ｇ２上の各画素に表示用データに対応する電圧が書き込まれる。黒挿入期間には、ソースドライバ２からは、黒色に対応する電圧が信号線に供給され、表示期間には、表示用データに対応する電圧が信号線に供給される。
【００４９】
以下同様にして、各走査線のゲート信号がハイになるタイミングにあわせて、表示用データまたは黒色の挿入用データがその走査線上に存在する各画素に書き込まれていく。
【００５０】
このように、各走査線Ｇ１〜Ｇ１０が１フィールド期間にそれぞれ２回ずつ選択され、各走査線Ｇ１〜Ｇ１０上の画素には、黒色の挿入用データに対応する電圧と、表示用データに対応する電圧とが１回ずつ書き込まれる。したがって、表示用データを書き込む一方で周期的に黒色の挿入用データを書き込む黒挿入駆動を実現することが出来る。
【００５１】
一方、バックライト制御部１１９は、タイミング制御部２３から供給されてくるバックライト制御信号に従って、上述した黒挿入駆動に連動するように、各バックライトブロック１５ａ〜１５ｅの点灯消灯を制御する。
【００５２】
図３（ａ）〜図３（ｅ）、及び図４（ａ）〜図４（ｅ）に、１フレーム期間（または１フィールド期間）における各バックライトブロック１５ａ〜１５ｅの点灯消灯パターンを示す。
【００５３】
図６で説明したように、時間が経過するにつれて、液晶表示装置１０１は、１フレーム期間（または１フィールド期間）には、液晶表示パネル１０の表示画面の上から下に向かって黒挿入が行われ、その後、表示画面の上から下に向かって、表示信号が表示されていく。
【００５４】
時刻Ｔ１においては、走査線Ｇ１及びＧ２上に配列されている画素には、黒色の挿入用データに対応する電圧が書き込まれており、走査線Ｇ３〜Ｇ１０上に配列されている画素には、表示用データに対応する電圧が書き込まれている。従って、図３（ａ）に示すように、バックライト制御部１１９は、走査線Ｇ１及びＧ２上の画素を主に照明するバックライトブロック１５ａを消灯させ、走査線Ｇ３〜Ｇ１０上の画素を照明するバックライトブロック１５ｂ〜１５ｅを点灯させている。
【００５５】
時刻Ｔ２においては、走査線Ｇ１〜Ｇ４上に配列されている画素には黒色の挿入用データに対応する電圧が書き込まれており、走査線Ｇ５〜Ｇ１０上に配列されている画素には表示用データに対応する電圧が書き込まれている。従って、図３（ｂ）に示すように、バックライト制御部１１９は、走査線Ｇ１〜Ｇ４上の画素を主に照明するバックライトブロック１５ａ、１５ｂを消灯させ、走査線Ｇ６〜Ｇ１０上の画素を主に照明するバックライトブロック１５ｃ〜１５ｅを点灯させている。
【００５６】
時刻Ｔ３においては、上記と同様の理由により、図３（ｃ）に示すように、バックライト制御部１１９は、バックライトブロック１５ａ〜１５ｃを消灯させ、バックライトブロック１５ｄ、１５ｅを点灯させている。
【００５７】
時刻Ｔ４においては、上記と同様の理由により、図３（ｄ）に示すように、バックライト制御部１１９は、バックライトブロック１５ａ〜１５ｄを消灯させ、バックライトブロック１５ｅを点灯させている。
【００５８】
時刻Ｔ５においては、走査線Ｇ１〜Ｇ５上の全ての画素に黒色の挿入用データに対応する電圧が書き込まれているので、図３（ｅ）に示すように、バックライト制御部１１９は、全てのバックライトブロック１５ａ〜１５ｅを消灯させている。
【００５９】
時刻Ｔ６においては、走査線Ｇ１、Ｇ２上に配列されている画素には表示用データに対応する電圧が十分書き込まれているので、図４（ａ）に示すように、バックライト制御部１１９は、バックライトブロック１５ａを点灯させ、バックライトブロック１５ｂ〜１５ｅを消灯させている。
【００６０】
時刻Ｔ７においては、上記と同様の理由により、図４（ｂ）に示すようにバックライト制御部１１９は、バックライトブロック１５ａ、１５ｂを点灯させ、バックライトブロック１５ｃ〜１５ｅを消灯させている。
【００６１】
時刻Ｔ８においては、上記と同様の理由により、図４（ｃ）に示すように、バックライト制御部１１９は、バックライトブロック１５ａ〜１５ｃを点灯させ、バックライトブロック１５ｄ、１５ｅを消灯させている。
【００６２】
時刻Ｔ９においては、上記と同様の理由により、図４（ｄ）に示すように、バックライト制御部１１９は、バックライトブロック１５ａ〜１５ｄを点灯させ、バックライトブロック１５ｅを消灯させている。
【００６３】
時刻Ｔ１０においては、全ての走査線Ｇ１〜Ｇ１０上の画素に表示用データに対応する電圧が十分書き込まれているので、図４（ｅ）に示すように、バックライト制御部１１９は、バックライトブロック１５ａ〜１５ｅを点灯させている。
【００６４】
バックライト制御部１１９は、上記の制御を１フレーム期間（または１フィールド期間）毎に繰り返す。このようにして、バックライト制御部１１９は、タイミング制御部２３から供給されてくるバックライト制御信号に従って、黒挿入駆動に連動するように、各バックライトブロック１５ａ〜１５ｅの点灯消灯を制御する。
【００６５】
調光部１１８は、調光する際、図１７（ａ）、図１７（ｂ）に示す各光センサ部１６ａ〜１６ｅが検出した各バックライトブロック１５ａ〜１５ｅのＲ（Ｒｅｄ）、Ｇ（Ｇｒｅｅｎ）、Ｂ（Ｂｌｕｅ）のそれぞれの輝度を入力し、入力した各バックライトブロック１５ａ〜１５ｅに設けられているＬＥＤ１３ａ〜１３ｅ、１４ａ〜１４ｅの輝度及び色度を調光する。
【００６６】
このように、バックライト１１１を複数のバックライトブロック１５ａ〜１５ｅに分割させ、上述した黒挿入駆動に連動させてＬＥＤ１３ａ〜１３ｅ、１４ａ〜１４ｅを点灯消灯させるように、バックライトブロック１５ａ〜１５ｅの点灯消灯のタイミングを制御する。つまり黒挿入のための黒色に対応する電圧が書き込まれているときには、その部分のバックライトブロックのみを消灯する。
【００６７】
これにより、高コントラスト化を実現出来るとともに、低消費電力化も実現することが出来る。
【００６８】
また、各バックライトブロック１５ａ〜１５ｅの輝度差や色度差を、調光部１１８が、光センサ部１６ａ〜１６ｅが検知した各バックライトブロック１５ａ〜１５ｅのＲ、Ｇ、Ｂそれぞれの輝度を用いて補正している。
【００６９】
これにより、最適なホワイトバランスを保つことが出来、ＬＥＤ１３ａ〜１３ｅ、１４ａ〜１４ｅなどの光源のばらつきや温度変化時の色ずれを抑えることが出来る。
【００７０】
また、白色ＬＥＤを用いて輝度のみを調整する目的でも上記と同様にすることにより、光源のばらつきや温度変化時に発生する輝度のずれを抑えることが出来る。
【特許文献１】特開２００３−２８０６１７号公報
【発明の開示】
【発明が解決しようとする課題】
【００７１】
しかしながら、従来の液晶表示装置１０１においては、輝度や色度を精度良く補正するために、バックライト１１１の分割された各バックライトブロック１５ａ〜１５ｅ毎に光センサ部１６ａ〜１６ｅを取り付ける必要があった。さらに、それぞれの光センサ部１６ａ〜１６ｅには、センサ回路が必要であり、導光板１２ａ〜１２ｅに光センサ部１６ａ〜１６ｅを取り付けるための加工や部材が必要であった。
【００７２】
従って、光センサ部をバックライトの分割された各バックライトブロック毎に設けることが液晶表示装置のコストが増加する要因となっている。
【００７３】
そして、液晶表示装置の表示をさらに、高コントラスト化しようとすれば、バックライトの分割されたバックライトブロックの個数を増やす必要があり、バックライトブロックの個数が増加すると、必要な光センサ部の個数も増加するので、益々コストアップすることになる。
【００７４】
このように、従来の液晶表示パネルでは、バックライトの分割された各バックライトブロック毎に光センサ部を設ける必要があるので、コストが増加するという課題がある。
【００７５】
本発明は、上記課題を考慮し、コストの増加を抑えつつ、光源のばらつき等による色ずれを抑えることが出来る液晶表示装置、液晶表示装置の駆動方法、プログラム、及び記録媒体を提供することを目的とする。
【課題を解決するための手段】
【００７６】
上述した課題を解決するために、第１の本発明は、アクティブマトリクス方式の液晶表示パネルと、
光源が配置されており前記光源から出た光により前記液晶表示パネルを照明するバックライトブロックをＮ個（Ｎは、２以上の整数）有し、前記Ｎ個のバックライトブロックの一のバックライトブロックから出た光の一部が他のバックライトブロックに伝搬するように前記バックライトブロック同士に仕切部が形成されたバックライトと、
前記Ｎ個のバックライトブロックのうちＭ個（Ｍは、１以上、Ｎ−１以下の整数）のバックライトブロックにそれぞれ配置され、前記Ｍ個のバックライトブロックの光を検知するためのＭ個の光センサ部と、
前記Ｎ個のバックライトブロックのそれぞれについて点灯と消灯とを予め定められた手順により制御するバックライト制御部と、
前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算部と、
前記演算部による算出結果に基づいて、前記Ｎ個のバックライトブロックそれぞれの前記光源の輝度及び／または色度の補正を行う調光部とを備えた液晶表示装置である。
【００７７】
また、第２の本発明は、所定の基準に基づいて、調光モードかどうかを判定する調光モード判定部を備え、
前記点灯と消灯とを予め定められた手順により制御するとは、前記調光モード判定部が、前記調光モードであると判定した場合に行う制御であり、
前記演算部は、調光モード判定部が前記調光モードであると判定した場合、前記Ｎ個のバックライトブロックそれぞれの光源の輝度及び／または色度を算出する、第１の本発明の液晶表示装置である。
【００７８】
また、第３の本発明は、１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記調光モード判定部が、前記調光モードであると判定しない場合、前記バックライト制御部は、前記黒挿入駆動に連動した制御を行う、第２の本発明の液晶表示装置である。
【００７９】
また、第４の本発明は、前記液晶表示パネルは、３原色の各色の表示期間と、前記各色の表示期間の前にそれぞれ設けられた黒挿入期間とが、１フィールドまたは１フレームの期間内に設けられているフィールドシーケンシャル方式の液晶表示パネルであり、
１フィールドまたは１フレームの期間内に設けられた前記各色の表示期間及びその後の前記黒挿入期間のうち、（１）前記黒挿入期間には、黒色のデータに対応する電圧を前記液晶表示パネルの信号線に供給し、（２）前記各色の表示期間には、前記各色の表示データに対応する電圧を前記液晶前記信号線に供給する黒挿入駆動を行うソースドライバを備え、
前記調光モード判定部が、前記調光モードであると判定しない場合、前記バックライト制御部は、前記黒挿入駆動に連動した制御を行う、第２の本発明の液晶表示装置である。
【００８０】
また、第５の本発明は、所定の基準に基づいて、調光モードかどうかを判定する調光モード判定部を備え、
前記点灯と消灯とを予め定められた手順により制御するとは、前記液晶表示パネルの駆動に連動するように前記Ｎ個のバックライトブロックのそれぞれについて点灯と消灯とを制御することであり、
前記演算部は、調光モード判定部が前記調光モードであると判定した場合、前記Ｎ個のバックライトブロックそれぞれの光源の輝度及び／または色度を算出する、第１の本発明の液晶表示装置である。
【００８１】
また、第６の本発明は、１フィールドまたは１フレームの期間内に設けられた表示期間、及び黒挿入期間のうち、（１）前記黒挿入期間には、黒色のデータに対応する電圧を前記液晶表示パネルの信号線に供給し、（２）前記表示期間には、表示データに対応する電圧を前記液晶表示パネルの前記信号線に供給する黒挿入駆動を行うソースドライバを備え、
前記調光モード判定部が、前記調光モードであると判定しるか否かにかかわらず、前記バックライト制御部は、前記黒挿入駆動に連動した制御を行う、第５の本発明の液晶表示装置である。
【００８２】
また、第７の本発明は、前記液晶表示パネルは、３原色の各色の表示期間と、前記各色の表示期間の前にそれぞれ設けられた黒挿入期間とが、１フィールドまたは１フレームの期間内に設けられているフィールドシーケンシャル方式の液晶表示パネルであり、
１フィールドまたは１フレームの期間内に設けられた前記各色の表示期間及びその後の前記黒挿入期間のうち、（１）前記黒挿入期間には、黒色のデータに対応する電圧を前記液晶表示パネルの信号線に供給し、（２）前記各色の表示期間には、前記各色の表示データに対応する電圧を前記液晶表示パネルの前記信号線に供給する黒挿入駆動を行うソースドライバを備え、
前記調光モード判定部が、前記調光モードであると判定するか否かにかかわらず、前記バックライト制御部は、前記黒挿入駆動に連動した制御を行う、第５の本発明の液晶表示装置である。
【００８３】
また、第８の本発明は、前記液晶表示パネルの温度を検知する温度検知部を有し、
前記調光モード判定部は、前記温度検知部が検知した温度が所定の値以上変化した場合に、前記調光モードであると判定する、第２または５の本発明の液晶表示装置である。
【００８４】
また、第９の本発明は、前記調光モード判定部は、所定の時間が経過する毎に前記調光モードであると判定する、第２または５の本発明の液晶表示装置である。
【００８５】
また、第１０の本発明は、前記調光モード判定部は、前記調光を行うための指示が入力された場合、前記調光モードであると判定する、第２または５の本発明の液晶表示装置である。
【００８６】
また、第１１の本発明は、前記所定のルールを記憶する記憶部を備え、
前記所定のルールとは、前記バックライト制御部が前記Ｎ個のバックライトブロックを制御することにより、前記Ｎ個のバックライトユニットが点灯消灯する複数通りの点灯消灯パターンのそれぞれの点灯消灯パターン毎に前記Ｍ個の光センサ部が検知した複数通りの輝度検知結果から、前記Ｎ個のバックライトブロックの各輝度及び／または色度を求めるための演算式である、第１の本発明の液晶表示装置である。
【００８７】
また、第１２の本発明は、前記光センサ部は、３原色のカラーフィルタ付きの３つの光検出素子である、第１の本発明の液晶表示装置である。
【００８８】
また、第１３の本発明は、アクティブマトリクス方式の液晶表示パネルと、
光源が配置されており前記光源から出た光により前記液晶表示パネルを照明するバックライトブロックをＮ個（Ｎは、２以上の整数）有し、前記Ｎ個のバックライトブロックの一のバックライトブロックから出た光の一部が他のバックライトブロックに伝搬するように前記バックライトブロック同士に仕切部が形成されたバックライトと、
前記Ｎ個のバックライトブロックのうちＭ個（Ｍは、１以上、Ｎ−１以下の整数）のバックライトブロックにそれぞれ配置され、前記Ｍ個のバックライトブロックの光を検知するためのＭ個の光センサ部とを備えた液晶表示装置を駆動する液晶表示装置の駆動方法であって、
前記Ｎ個のバックライトブロックのそれぞれについて点灯と消灯とを予め定められた手順により制御するバックライト制御ステップと、
前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算ステップと、
前記演算部による算出結果に基づいて、前記Ｎ個のバックライトブロックそれぞれの前記光源の輝度及び／または色度の補正を行う調光ステップとを備えた液晶表示装置の駆動方法である。
【００８９】
また、第１４の本発明は、第１の本発明の液晶表示装置の、前記バックライト制御部が前記Ｎ個のバックライトブロックのそれぞれについて前記手順による制御を行うことにより、前記Ｍ個の光センサ部が検知した検知結果を利用して、所定のルールに基づいて、前記Ｎ個のバックライトブロックそれぞれの光源の輝度及び／または色度を算出する演算部としてコンピュータを機能させるためのプログラムである。
【００９０】
また、第１５の本発明は、第１４の本発明のプログラムを記録した記録媒体であって、コンピュータにより処理可能な記録媒体である。
【発明の効果】
【００９１】
本発明は、コストの増加を抑えつつ、光源のばらつき等による色ずれを抑えることが出来る液晶表示装置、液晶表示装置の駆動方法、プログラム、及び記録媒体を提供することが出来る。
【発明を実施するための最良の形態】
【００９２】
以下に、本発明の実施の形態を図面を参照して説明する。
【００９３】
（第１の実施の形態）
第１の実施の形態では、本発明の液晶表示装置の一実施の形態である液晶表示装置について説明するとともに、本発明の液晶表示装置の駆動方法の一実施の形態についても説明する。
【００９４】
図１に、第１の実施の形態の液晶表示装置１のブロック図を示す。
【００９５】
図１に示す液晶表示装置１は、従来の液晶表示装置と同様に、黒挿入駆動を行うとともに、液晶表示パネルの駆動に連動してバックライトを駆動する装置である。
【００９６】
なお、第１の実施の形態の液晶表示装置１は、従来の液晶表示装置１０１と同様にＯＣＢモードの液晶表示素子を用いた液晶表示装置であるとして説明し、黒挿入駆動も背景技術で説明した黒挿入駆動と同様の駆動であるとして説明する。また、ＴＮ（Ｔｗｉｓｔｅｄ  Ｎｅｍａｔｉｃ）配向液晶表示パネルなどにおける黒挿入駆動については、後述する。
【００９７】
なお、従来の液晶表示装置１０１と同一部分については同一の符号を付して詳細な説明を省略する。
【００９８】
バックライト１１は、アクティブマトリクス方式の液晶表示パネル１０の背面に配置されており、複数のバックライトブロックに分割されており、各バックライトブロックにはそれぞれ光源であるＬＥＤ及び導光板が設けられている。
【００９９】
図２（ａ）及び図２（ｂ）に、バックライト１１の概要を示す。図２（ａ）は、液晶表示パネル１０の表示面と直交する方向から見たバックライト１１の平面図であり、図２（ｂ）は、バックライト１１の側面図である。
【０１００】
図２（ａ）及び図２（ｂ）に示すように、バックライト１１は、複数のバックライトブロック１５ａ〜１５ｅに分割されている。そして、これら複数のバックライトブロック１５ａ〜１５ｅのそれぞれには、光源であるＬＥＤ１３ａ〜１３ｅ、ＬＥＤ１４ａ〜１４ｅがそれぞれ配置されている。また、複数のバックライトブロック１５ａ〜１５ｅのそれぞれには、さらに、導光板１２ａ〜１２ｅがそれぞれ配置されている。それぞれのバックライトブロック１５ａ〜１５ｅは、そのバックライトブロックが対向している液晶表示パネル１０の表示領域の部分を主に照明するものである。各バックライトブロック１５ａ〜１５ｅの一つのバックライトブロックの光は他のバックライトに伝搬するように仕切部が設けられている。
【０１０１】
図１８に、バックライト１１の分解斜視図を示す。バックライト１１は、反射シート５１上に複数のバックライトブロック１５ａ〜１５ｅが設けられている。そして、複数のバックライトブロック１５ａ〜１５ｅは、導光板１２ａ〜１２ｅを有している。図１８の場合、仕切部５２は、導光板１２ａと１２ｂとの間など隣接する導光板との間に設けられている。そして、この仕切部５２は、隣接する導光板同士の間に設けられた空間である。このような仕切部５２をバックライト１１が有している。
【０１０２】
なお、仕切部５２の別の構成として、バックライトブロック１５ａ〜１５ｅの導光板をそのまま密着させることでその境界で反射面を形成し、その反射面を仕切部５２としても構わない。
【０１０３】
そして、背景技術で説明したバックライト１１１とは異なり、バックライトブロック１５ｃにのみ光センサ部２６が設けられており、他のバックライトブロック１５ａ、１５ｂ、１５ｄ、１５ｅには光センサ部が設けられていない。
【０１０４】
図１３（ａ）及び図１３（ｂ）に光センサ部２６の一例を示す。図１３（ａ）は、光センサ部２６の平面図であり、図１３（ｂ）は、光センサ部２６の側面図である。図１３（ａ）、図１３（ｂ）に示すように、光センサ部２６は、基板３７上に三つの光検出素子３６ａ、３６ｂ、３６ｃが形成されており、光検出素子３６ａ、３６ｂ、３６ｃ上のカラーフィルタ３５ａ、３５ｂ、３５ｃが形成されている。カラーフィルタ３５ａ、３５ｂ、３５ｃは、それぞれ、３原色である赤色、緑色、青色の光を透過するカラーフィルタである。光検出素子３６ａ、３６ｂ、３６ｃ及びカラーフィルタ３５ａ、３５ｂ、３５ｃは、ガラス等の透明カバー３８で覆われている。
【０１０５】
図２に戻って、各バックライトブロック１５ａ〜１５ｅは、それぞれの光源であるＬＥＤ１３ａ〜１３ｅ、ＬＥＤ１４ａ〜１４ｅから射出された光が隣接する他のバックライトブロックに予め決められた割合で伝搬するように設計されている。
【０１０６】
また、液晶表示パネル１０の対向基板には、赤色、緑色、青色のカラーフィルタが設けられており、バックライト１１の光源であるＬＥＤ１３ａ〜１３ｅ、１４ａ〜１４ｅが射出する光の色は、白色である。すなわちＬＥＤ１３ａ〜１３ｅ、１４ａ〜１４ａのそれぞれは、赤色の光を射出するＬＥＤ、緑色の光を射出するＬＥＤ、及び青色の光を射出するＬＥＤの三つのＬＥＤから構成されている。
【０１０７】
調光モード判定部２０は、例えば、液晶表示装置１に設けられた押しボタンであり、バックライト１１を調光するための調光モードであるかどうかを判定するものである。そして、調光モード判定部２０は、調光モードであると判定した場合、調光モードであることを調光部１８のみならず、バックライト制御部１９にも伝えるものである。
【０１０８】
バックライト制御部１９は、調光モード判定部２０が、調光モードであると判定しない場合、すなわち、調光モード判定部２０から調光モードであることが伝えられていない場合、ソースドライバ２等による液晶表示パネル１０の駆動のタイミングに連動して、複数個のバックライトブロック１５ａ〜１５ｅのＬＥＤ１３ａ〜１３ｅ、１４ａ〜１４ｅが図３（ａ）〜図３（ｅ）、及び図４（ａ）〜図４（ｅ）に示す複数通りの表示用点灯消灯パターンで点灯消灯するようにＬＥＤ１３ａ〜１３ｅ、１４ａ〜１４ｅの点灯消灯を制御するものである。
【０１０９】
そして、調光制御部３３は、調光モード判定部２０が、調光モードであると判定し、調光モード判定部２０から調光モードであることが伝えられた場合、ソースドライバ１０による液晶表示パネル１０の駆動のタイミングに連動することなく、上記の表示用点灯消灯パターンとは異なる予め決められた複数通りの調光用点灯消灯パターンで点灯消灯するようにＬＥＤ１３ａ〜１３ｅ、１４ａ〜１４ｅ光源の点灯消灯を制御するものである。
【０１１０】
図５は、図１の液晶表示装置１のうち、調光部１８やバックライト１１などの照明系の詳細を示す図である。
【０１１１】
調光部１８は、光センサ部２６によって検知されたバックライト１１のＲ、Ｇ、Ｂ、それぞれの輝度（すなわち、図１３における光検出素子３６ａ、３６ｂ、３６ｃがそれぞれ検出した輝度。以下バックライト１１の輝度とは、図１３における光検出素子３６ａ、３６ｂ、３６ｃがそれぞれ検出したＲ、Ｇ、Ｂ、それぞれの輝度を意味するものとする。）に基づいて、バックライト１１を構成する複数のバックライトブロック１５ａ〜１５ｅの各光源１３ａ〜１３ｅ、１４ａ〜１４ｅの輝度及び／または色度を調整する回路である。
【０１１２】
調光部１８は、半導体メモリ（ＲＯＭまたはＲＡＭ）である記憶部３１、演算式を演算する演算部３２、及び調光制御部３３、及び半導体メモリである基準値記憶部４０を備えている。
【０１１３】
記憶部３１は、バックライト１１を構成する複数個のバックライトブロック１５ａ〜１５ｅの複数通りの調光用点灯消灯パターン毎に、光センサ部２６が検知した複数通りの輝度検知結果から、複数個のバックライトブロック１５ａ〜１５ｅの各輝度及び／または色度を求めるための演算式を記憶している半導体メモリ（ＲＯＭまたはＲＡＭ）である。
【０１１４】
演算部３２は、調光モード判定部２０が、調光モードであると判定し、調光モード判定部２０から調光モードであることが伝えられた場合、バックライト１１を構成する複数個のバックライトブロック１５ａ〜１５ｅの複数通りの調光用点灯消灯パターンの各調光用点灯消灯パターン毎に、光センサ部２６が検知した複数通りの輝度検知結果から、記憶部３１に記憶されている演算式を演算することによって、複数個のバックライトブロック１５ａ〜１５ｅの各輝度及び／または色度を算出するマイクロプロセッサである。
【０１１５】
基準値記憶部４０は、予め設定された輝度及び／または色度を基準値として記憶する半導体メモリである。
【０１１６】
調光制御部３３は、調光モード判定部２０が、調光モードであると判定し、調光モード判定部２０から調光モードであることが伝えられた場合、複数個のバックライトブロック１５ａ〜１５ｅの算出された各輝度及び／または色度に基づいて、複数個のバックライトブロック１５ａ〜１５ｅのＬＥＤ１３ａ〜１３ｅ、１４ａ〜１４ｅが基準値記憶部４０に記憶されている輝度及び／または色度と等しくなるように調光するものである。
【０１１７】
図１及び図２において、上記以外は、背景技術で説明したものと同様である。
【０１１８】
次に、このような第１の実施の形態の液晶表示装置１の動作を説明するととともに、本発明の液晶表示装置の駆動方法の一実施の形態についても説明する。
【０１１９】
液晶表示装置１の電源が入れられた際、液晶表示装置１は、背景技術で説明した従来の液晶表示装置１０１と同様に転移駆動を行う。
【０１２０】
転移駆動が完了し、液晶表示装置１の表示動作が可能になると、液晶表示装置１は表示動作を開始する。
【０１２１】
液晶表示装置１が映像表示信号を表示する動作については背景技術で説明した従来の液晶表示装置１０１の動作と同様である。すなわち、液晶表示装置１が映像表示信号を液晶表示パネル１０に表示する動作は、図６のタイミングチャートに従って、ソースドライバ２等による液晶表示パネルの駆動のタイミングに連動しながら、バックライト制御部１９の制御により、１フレーム期間（または１フィールド期間）毎に、図３（ａ）〜図３（ｅ）、図４（ａ）〜図４（ｅ）の表示用点灯消灯パターンを、バックライトブロック１５ａ〜１５ｅが繰り返す。
【０１２２】
ここで、ユーザが、押しボタンである調光モード判定部２０を押すことにより調光するよう指示したとする。このタイミングで、調光モード判定部２０は、調光モードであることを調光部１８に伝えるとともに、バックライト制御部１９にも伝える。
【０１２３】
バックライト制御部１９は、調光モード判定部２０から調光モードであることが伝えられると、バックライトブロック１５ａ〜１５ｅが調光用点灯消灯パターンで点灯消灯するよう制御する。なお、バックライト制御部１９は、調光モードにおいて、ソースドライバ２等による液晶表示パネル１０の駆動などに連動させて制御する必要はない。
【０１２４】
図７（ａ）〜図７（ｆ）に調光用点灯消灯パターンを示す。なお、第１の実施の形態における図７（ａ）〜図７（ｆ）に示す調光用点灯消灯パターンは、本発明の予め定められた手順の一例である。
【０１２５】
図７（ａ）は、バックライト１１のうち、バックライトブロック１５ａが消灯しており、バックライトブロック１５ａ、１５ｂ、１５ｃ、及び１５ｄが点灯している調光用点灯消灯パターンである。
【０１２６】
図７（ｂ）は、バックライト１１のうち、バックライトブロック１５ｂが消灯しており、バックライトブロック１５ａ、１５ｃ、１５ｄ、及び１５ｅが点灯している調光用点灯消灯パターンである。
【０１２７】
図７（ｃ）は、バックライト１１のうち、バックライトブロック１５ｃが消灯しており、バックライトブロック１５ａ、１５ｂ、１５ｄ、及び１５ｅが点灯している調光用点灯消灯パターンである。
【０１２８】
図７（ｄ）は、バックライト１１のうち、バックライトブロック１５ｄが消灯しており、バックライトブロック１５ａ、１５ｂ、１５ｃ、及び１５ｅが点灯している調光用点灯消灯パターンである。
【０１２９】
図７（ｅ）は、バックライト１１のうち、バックライトブロック１５ｅが消灯しており、バックライトブロック１５ａ、１５ｂ、１５ｃ、及び１５ｄが点灯している調光用点灯消灯パターンである。
【０１３０】
図７（ｆ）は、バックライト１１のうち、全てのバックライトブロック１５ａ、１５ｂ、１５ｃ、１５ｄ、及び１５ｅが点灯している調光用点灯消灯パターンである。
【０１３１】
バックライト制御部１９は、バックライト１１が図７（ａ）〜図７（ｆ）で示した複数通りの調光用点灯消灯パターンで順に点灯消灯するように、バックライト１１を制御する。そして、バックライト制御部１９は、調光部１８に、どの調光用点灯消灯パターンで点灯消灯しているかを調光部１８に通知する。
【０１３２】
調光部１８は、バックライト制御部１９からどの調光用点灯消灯パターンでバックライト１１が点灯消灯しているかを通知されと、光センサ部２６が検知したＲ、Ｇ、Ｂの各輝度（上述したように、図１３に示す光検出素子３６ａ、３６ｂ、３６ｃが検出した各輝度）を入力する。このようにして、調光部１８は、複数の調光用点灯消灯パターンの各調光用点灯消灯パターン毎に光センサ部２６が検知したＲ、Ｇ、Ｂの各輝度を入力する。
【０１３３】
演算部３２は、入力された複数の調光用点灯消灯パターンの各調光用点灯消灯パターン毎に光センサ部２６が検知した複数通りのＲ、Ｇ、Ｂの各輝度を用いて、記憶部３１に記憶されている演算式を読み込む。なお、記憶部３１に格納されている演算式については後述する。
【０１３４】
そして、演算部３２は、光センサ部２６が検知した複数通りのＲ、Ｇ、Ｂの各輝度を用いて、読み込んだ演算式を演算することにより、各バックライトブロック１５ａ〜１５ｅの輝度及び／または色度を算出する。そして、演算部３２は、算出した各バックライトブロック１５ａ〜１５ｅの各輝度及び／または色度を調光制御部３３に出力する。
【０１３５】
調光制御部３３は、演算部３２から入力された各バックライトブロック１５ａ〜１５ｅの各輝度及び／または各色度に基づいて、各バックライトブロック１５ａ〜１５ｅの輝度及び／または色度が同じになるように調光する。
【０１３６】
すなわち、調光制御部３３は、基準値記憶部４０に記憶されている基準となる輝度及び／または色度に各バックライトブロック１５ａ〜１５ｅの輝度及び／または色度が等しくなるように、調光する。
【０１３７】
次に、記憶部３１に記憶されている演算式について説明する。
【０１３８】
記憶部３１に記憶されている演算式は、バックライト制御部１９がバックライトブロック１５ａ〜１５ｅを制御することにより、バックライト１１が点灯消灯する複数通りの調光用点灯消灯パターンのそれぞれの調光用点灯消灯パターン毎に光センサ部２６が検知した複数通りの輝度検知結果から、バックライトブロック１５ａ〜１５ｅの各輝度及び／または色度を求めるための演算式である。
【０１３９】
すなわち、まず、上述したように各バックライトブロック１５ａ〜１５ｅは、隣接する他のバックライトブロックに光がある程度伝搬するように予め設計されている。あるバックライトブロックが点灯しているとき、点灯しているバックライトブロックに隣接しているバックライトブロックの輝度が点灯しているバックライトブロックの１／２になるように光が伝搬するように予め設計されているとする。
【０１４０】
図８は、隣接するバックライトブロックに光が伝搬する様子を示す概略図である。図８においては、バックライトブロック１５ｃのみが輝度ｃで点灯しており、バックライトブロック１５ａ、１５ｂ、１５ｄ、１５ｅは消灯している。
【０１４１】
このとき、バックライトブロック１５ｃの輝度はｃである。バックライトブロック１５ｃに隣接するバックライトブロック１５ｂ及び１５ｄの輝度は、それぞれ（１／２）ｃとなる。また、バックライトブロック１５ｂに隣接するバックライトブロック１５ａの輝度は（１／４）ｃとなる。また、バックライトブロック１５ｄに隣接するバックライトブロック１５ｅの輝度も（１／４）ｃとなる。
【０１４２】
ここで、図７（ａ）〜図７（ｆ）に示すように、各バックライトブロック１５ａ〜１５ｅは、それぞれ点灯した際、輝度ａ、ｂ、ｃ、ｄ、ｅで点灯するとする。
【０１４３】
そうすると、図７（ａ）に示す調光用点灯消灯パターンの場合、光センサ部２６から調光部１８に入力される入力輝度をＡとすると、次の数１が成立する。
【０１４４】
（数１）
（１／２）ｂ＋ｃ＋（１／２）ｄ＋（１／４）ｅ＝Ａ
また、図７（ｂ）に示す調光用点灯消灯パターンの場合、光センサ部２６から調光部１８に入力される入力輝度をＢとすると、次の数２が成立する。
【０１４５】
（数２）
（１／４）ａ＋ｃ＋（１／２）ｄ＋（１／４）ｅ＝Ｂ
また、図７（ｃ）に示す調光用点灯消灯パターンの場合、光センサ部２６から調光部１８に入力される入力輝度をＣとすると、次の数３が成立する。
【０１４６】
（数３）
（１／４）ａ＋（１／２）ｂ＋（１／２）ｄ＋（１／２）ｅ＝Ｃ
また、図７（ｄ）に示す調光用点灯消灯パターンの場合、光センサ部２６から調光部１８に入力される入力輝度をＤとすると、次の数４が成立する。
【０１４７】
（数４）
（１／４）ａ＋（１／２）ｂ＋ｃ＋（１／４）ｅ＝Ｄ
また、図７（ｅ）に示す調光用点灯消灯パターンの場合、光センサ部２６から調光部１８に入力される入力輝度をＥとすると、次の数５が成立する。
【０１４８】
（数５）
（１／４）ａ＋（１／２）ｂ＋ｃ＋（１／２）ｄ＝Ｅ
また、図７（ｆ）に示す調光用点灯消灯パターンの場合、光センサ部２６から調光部１８に入力される入力輝度をＦとすると、次の数６が成立する。
【０１４９】
（数６）
（１／４）ａ＋（１／２）ｂ＋ｃ＋（１／２）ｄ＋（１／４）ｅ＝Ｆ
数１〜数６は、複数のバックライトブロック１５ａ〜１５ｅのそれぞれの輝度であるａ、ｂ、ｃ、ｄ、ｅを未知数として、光センサ部２６から調光用の各点灯消灯パターン毎に、調光部１８に入力した入力輝度Ａ、Ｂ、Ｃ、Ｄ、Ｅ、Ｆを上記未知数で表した連立方程式と見ることが出来る。
【０１５０】
このように数１〜数６を連立方程式と見て、未知数ａ、ｂ、ｃ、ｄ、ｅについて解けば各バックライトブロック１５ａ〜１５ｅの輝度は、入力輝度Ａ、Ｂ、Ｃ、Ｄ、Ｅ、Ｆを用いて次の数７のように表すことが出来る。
【０１５１】
（数７）
ａ＝４（Ｆ−Ａ）
ｂ＝２（Ｆ−Ｂ）
ｃ＝（Ｆ−Ｃ）
ｄ＝２（Ｆ−Ｄ）
ｅ＝４（Ｆ―Ｅ）
記憶部３１には、予め数７の演算式を格納しておく。そうすれば、上述したように、演算部３２が、記憶部３１から読み込んだ演算式である数７を演算することにより、各バックライトブロック１５ａ〜１５ｅのそれぞれの輝度を算出することが出来る。なお、色度を求める場合には、図１３に示す光検出素子３６ａ、３６ｂ、３６ｃのそれぞれが検出したＲ、Ｇ、Ｂの各輝度それぞれに基づいて、数７を演算すれば、Ｒ、Ｇ、Ｂのそれぞれの輝度が求まる。これら３原色の輝度から計算により色度を求めることが出来る。従って、色度を求める場合には、記憶部３１に３原色の各輝度から色度を計算する演算式を記憶部３１に予め格納しておけばよい。
【０１５２】
なお、第１の実施の形態の数７の演算式は、本発明の所定のルールの一例であり、第１の実施の形態の記憶部３１に記憶されている、３原色の各輝度から色度を計算する演算式は、本発明の所定のルールの一例である。
【０１５３】
なお、第１の実施の形態の輝度及び／または色度とは、具体的には、例えばＨＳＶモデルやＨＳＬモデル等の各種の色空間を含む概念である。そして、ＨＳＶモデルやＨＳＬモデルを用いれば、ＲＧＢモデルからの変換も所定の演算式を計算することにより容易に行うことが出来る。また逆にＲＧＢモデルからＨＳＶモデルやＨＳＬモデル等の各種の色空間に所定の演算式を計算することにより容易に変換することが出来る。
【０１５４】
このように、光センサ部２６をバックライトブロック１５ｃにしか設けていないにもかかわらず、各バックライトブロック１５ａ〜１５ｅの輝度及び／または色度を求めることが出来る。従って、各バックライトブロック１５ａ〜１５ｅの輝度差や色度差を、調光部１８において、調光することが出来る。
【０１５５】
これにより、第１の実施の形態の液晶表示装置１は、最適なホワイトバランスを保つことが出来、ＬＥＤ１３ａ〜１３ｅ、１４ａ〜１４ｅなどの光源のばらつきや温度変化時の色ずれを抑えることが出来る。
【０１５６】
上述したように、光センサ部２６を、バックライトブロック１５ｃにのみ設けており、光センサ部をバックライト１１の分割された各バックライトブロック１５ａ〜１５ｅ毎に設ける必要がない。従って、液晶表示装置１の製造コスト等の増加を抑制することが出来る。
【０１５７】
また、液晶表示装置１の表示をさらに、高コントラスト化するために、バックライト１１の分割されたバックライトブロックの個数を増やしたとしても、必要な光センサ部２６の個数を増加させる必要がないので、コストの増加を十分抑えることが出来る。
【０１５８】
なお、第１の実施の形態では、液晶表示パネル１０の対向基板に赤色、緑色、青色のカラーフィルタが設けられており、バックライト１１の光源であるＬＥＤ１３ａ〜１３ｅ、１４ａ〜１４ｅが射出する光の色が白色であるとして説明したが、これに限らず、第１の実施の形態における液晶表示装置１を、いわゆるフィールドシーケンシャルカラー方式の液晶表示装置として動作させることも出来る。
【０１５９】
図９は、第１の実施の形態の液晶表示装置１がフィールドシーケンシャルカラー方式の液晶表示装置である場合の２倍速変換による黒挿入駆動時の、黒挿入期間、表示期間、ゲートパルス、及びバックライトブロック１５ａ〜１５ｅの点灯消灯のタイミングチャートの一例を示している。図９において、紙面に向かって左側から右側に時間が経過する。
【０１６０】
ここで、フィールドシーケンシャルカラー方式とは、液晶表示パネル１０の対向基板にカラーフィルタを形成せずに、１画素で３色（赤色、緑色、青色）の画像を１フレーム期間（または１フィールド期間）に時間的に順次表示する方式であり、液晶表示パネル１０の対向基板にカラーフィルタを設ける方式に比較して、高透過率、高解像度化が図れるという利点を有している。
【０１６１】
図９に示すように、１フレーム期間（または１フィールド期間）に、３原色である赤表示期間、緑表示期間（前半部分のみ図示しており、後半部分は赤色のタイミングチャートと同じである）、青表示期間（図示していないが、赤表示期間と同じタイミングチャートになる）が設けられている。そして、赤表示期間の前には黒挿入期間が設けられており、緑表示期間の前にも黒挿入期間が設けられており、また、同様に青表示期間の前にも黒挿入期間が設けられている（緑表示期間も前の黒挿入期間と青表示期間の前の黒挿入期間は、図９に図示されていないが、赤表示期間の前の黒挿入期間と同じタイミングチャートになる。）。
【０１６２】
以下、液晶表示装置１が、フィールドシーケンシャルカラー方式である場合について説明する。
【０１６３】
まず、手短に説明すると、液晶表示装置１がフィールドシーケンシャルカラー方式である場合には、上述した第１の実施の形態の動作を赤色の表示期間、緑色の表示期間、青色の表示期間でそれぞれ繰り返せばよい。
【０１６４】
すなわち、図１に示すソースドライバ２は、赤色の表示期間、緑色の表示期間、及び青色の表示期間の各色の表示期間に、各色に対応する表示データの色に対応する電圧を液晶表示パネル１０に形成されている信号線に供給する。
【０１６５】
そして、ＬＥＤ１３ａ〜１３ｅ、１４ａ〜１４ｅは、赤色、青色、及び緑色の光を別々に射出することが出来る。
【０１６６】
バックライト制御部１９は、各色の表示期間にその色に対応する光を射出するようＬＥＤ１３ａ〜１３ｅ、１４ａ〜１４ｅを制御する。すなわち、バックライト制御部１９は、ＬＥＤ１３ａ〜１３ｅ、１４ａ〜１４ｅが、赤表示期間には赤色の光を射出し、緑表示期間には緑色の光を射出し、青表示期間には青色の光を射出するよう制御する。
【０１６７】
バックライト制御部１９は、調光モード判定部２０が、調光モードであると判定した場合、ＬＥＤ１３ａ〜１３ｅ、１４ａ〜１４ｅが射出する各色毎に、バックライトブロックのＬＥＤ１３ａ〜１３ｅ、１４ａ〜１４ｅが上述した複数通りの調光用点灯消灯パターンで点灯消灯するようにバックライト１１を制御する。
【０１６８】
そして、調光モード判定部２０が、調光モードであると判定した場合、演算部３２は、赤色、緑色、青色の各色毎に、上述した動作を行う。すなわち、演算部３２は、ＬＥＤ１３ａ〜１３ｅ、１４ａ〜１４ｅが射出する各色毎に、複数通りの輝度検知結果を用いて、記憶部３１に記憶された演算式を演算することにより、ＬＥＤ１３ａ〜１３ｅ、１４ａ〜１４ｅが射出する各色毎に、複数個のバックライトブロックの各輝度を算出する。
【０１６９】
そして、調光モード判定部２０が、調光モードであると判定した場合、ＬＥＤ１３ａ〜１３ｅ、１４ａ〜１４ｅが射出する各色毎に複数個のバックライトブロック１５ａ〜１５ｅの算出された各輝度に基づいて、複数個のバックライトブロックの光源を調光する。
【０１７０】
このように、上述したように、液晶表示装置１は、フィールドシーケンシャルカラー方式の液晶表示装置にも適用することが出来る。
【０１７１】
（第２の実施の形態）
次に、第２の実施の形態について説明する。
【０１７２】
第２実施の形態では、本発明の液晶表示装置の一実施の形態である液晶表示装置について説明するとともに、本発明の液晶表示装置の駆動方法の一実施の形態についても説明する。
【０１７３】
第１の実施の形態では、調光モード判定部２０が調光モードであると判定していない場合には、バックライト制御部１９は、表示用点灯消灯パターンでバックライトブロック１５ａ〜１５ｅの点灯消灯を制御して、調光モード判定部２０が調光モードであると判定した場合には、バックライト制御部１９は、表示用点灯消灯パターンとは異なる調光用点灯消灯パターンでバックライトブロック１５ａ〜１５ｅを点灯消灯した。すなわち、バックライトブロック制御部１９は、調光モードかどうかでバックライトブロック１５ａ〜１５ｅの点灯消灯の制御の仕方を変更していた。
【０１７４】
これに対して、第２の実施の形態では、調光モード判定部２０が調光モードであると判定した場合であっても、バックライトブロック１５ａ〜１５ｅの点灯消灯パターンの制御の仕方を変えない場合の液晶表示装置について説明する。
【０１７５】
図１０に、第２の実施の形態の液晶表示装置２７のブロック図を示す。また、図１１に、第２の実施の形態の液晶表示装置２７のうち、調光部１８やバックライト１１などの照明系の詳細を示す。
【０１７６】
なお、第１の実施の形態の液晶表示装置１と同一部分については同一符号を付して詳細な説明を省略する。
【０１７７】
また、第２の実施の形態の液晶表示装置２７は、従来の液晶表示装置１０１と同様にＯＣＢモードの液晶表示素子を用いた液晶表示装置であるとして説明し、黒挿入駆動も背景技術で説明した黒挿入駆動と同様の駆動であるとして説明する。また、ＴＮ（Ｔｗｉｓｔｅｄ  Ｎｅｍａｔｉｃ）配向液晶表示パネルなどにおける黒挿入駆動については、後述する。
【０１７８】
第２の実施の形態の液晶表示装置２７と第１の実施の形態の液晶表示装置１との相違点は、第１の実施の形態の液晶表示装置１がバックライト制御部１９を備えていたのに対して、第２の実施の形態の液晶表示装置２７がバックライト制御部１９ａを備えている点である。
【０１７９】
バックライト制御部１９ａは、調光モード判定部２０が、調光モードであると判定するか否かに関わらず、すなわち、調光モード判定部２０から調光モードであることが伝えられているかいないかに関わらず、常に、ソースドライバ２等によるアクティブマトリクス方式の液晶表示パネル１０の駆動のタイミングに連動して、複数個のバックライトブロック１５ａ〜１５ｅのＬＥＤ１３ａ〜１３ｅ、１４ａ〜１４ｅが図３（ａ）〜図３（ｅ）、及び図８（ａ）〜図８（ｅ）に示す複数通りの表示用点灯消灯パターンで点灯消灯するようにＬＥＤ１３ａ〜１３ｅ、１４ａ〜１４ｅの点灯消灯を制御するものである。
【０１８０】
また、図１１に示す演算部３２に格納される演算式が第１の実施の形態と相違している。液晶表示装置２７のそれ以外の構成は第１の実施の形態の液晶表示装置１と同様である。
【０１８１】
次に、第１の実施の形態との相違点を中心に、第２の実施の形態の液晶表示装置２７の動作を説明するととともに、本発明の液晶表示装置の駆動方法の一実施の形態についても説明する。
【０１８２】
液晶表示装置２７の電源が入れられた際、液晶表示装置２７は、背景技術で説明した従来の液晶表示装置１０１と同様に転移駆動を行う。
【０１８３】
転移駆動が完了し、液晶表示装置２７の表示動作が可能になると、液晶表示装置２７は表示動作を開始する。
【０１８４】
液晶表示装置２７が映像表示信号を表示する動作については背景技術で説明した従来の液晶表示装置１０１の動作と同様である。すなわち、液晶表示装置２７が映像表示信号を液晶表示パネル１０に表示する動作は、図６のタイミングチャートに従って、ソースドライバ２等による液晶表示パネル１０の駆動のタイミングに連動しながら、バックライト制御部１９の制御により、１フレーム期間（または１フィールド期間）毎に、図３（ａ）〜図３（ｅ）、図４（ａ）〜図４（ｅ）に示す複数の表示用点灯消灯パターンを、バックライトブロック１５ａ〜１５ｅが繰り返す。
【０１８５】
ここで、ユーザが、押しボタンである調光モード判定部２０を押すことにより調光するよう指示したとする。このタイミングで、調光モード判定部２０は、調光モードであることを調光部１８に伝えるとともに、バックライト制御部１９ａにも伝える。
【０１８６】
バックライト制御部１９ａは、調光モード判定部２０から調光モードであることが伝えられても、第１の実施の形態のバックライト制御部１９と異なり、１フレーム期間（または１フィールド期間）毎に、図３（ａ）〜図３（ｅ）、図４（ａ）〜図４（ｅ）に示す複数の表示用点灯消灯パターンを、バックライトブロック１５ａ〜１５ｅが繰り返すよう制御する。そして、バックライト制御部１９ａは、調光モードにおいても、これら複数の表示用点灯消灯パターンが、ソースドライバ２等による液晶表示パネル１０の駆動などに連動するように、各バックライトブロック１５ａ〜１５ｅを制御し続ける。従って、調光モードであっても液晶表示パネル１０に、入力されてくる映像信号が継続して表示される。
【０１８７】
バックライト制御部１９ａは、バックライト１１が図７（ａ）〜図７（ｅ）、及び図８（ａ）〜図８（ｅ）に示すどの表示用点灯消灯パターンで点灯消灯しているかを調光部１８に通知する。
【０１８８】
調光部１８は、バックライト制御部１９からどの表示用点灯消灯パターンでバックライト１１が点灯消灯しているかを通知されと、光センサ部２６が検知した輝度（以下、第１の実施の形態と同様に図１３の光検出素子３６ａ、３６ｂ、３６ｃが検知した３原色の輝度であるとする）を入力する。このようにして、調光部１８は、複数の表示用点灯消灯パターンの各表示用点灯消灯パターン毎に光センサ部２６が検知したＲ、Ｇ、Ｂの各輝度を入力する。
【０１８９】
一例として挙げれば、調光部１８は、図３（ａ）、図３（ｂ）、図３（ｃ）、図３（ｄ）、及び図４（ａ）の各表示用点灯消灯パターン毎に光センサ部２６が検知したＲ、Ｇ、Ｂの各輝度を入力する。
【０１９０】
演算部３２は、入力された複数の調光用点灯消灯パターンの各調光用点灯消灯パターン毎に光センサ部２６が検知した複数通りのＲ、Ｇ、Ｂの各輝度を入力し、記憶部３１に記憶されている演算式を読み込む。なお、記憶部３１に格納されている演算式については後述する。
【０１９１】
そして、演算部３２は、入力された複数通りのＲ、Ｇ、Ｂの各輝度をもちいて、読み込んだ演算式を演算することにより、各バックライトブロック１５ａ〜１５ｅの輝度及び／または色度を算出する。そして、演算部３２は、算出した各バックライトブロック１５ａ〜１５ｅの各輝度及び／または色度を調光制御部３３に出力する。
【０１９２】
すなわち、調光制御部３３は、演算部３２から入力された各バックライトブロック１５ａ〜１５ｅの各輝度及び／または各色度に基づいて、各バックライトブロック１５ａ〜１５ｅの輝度及び／または色度が同じになるように調光する。
【０１９３】
すなわち、調光制御部３３は、基準値記憶部４０に記憶されている基準となる輝度及び／または色度に各バックライトブロック１５ａ〜１５ｅの輝度及び／または色度が等しくなるように、調光する。
【０１９４】
次に、記憶部３１に格納されている演算式について説明する。
【０１９５】
記憶部３１に記憶されている演算式は、バックライト制御部１９ａがバックライトブロック１５ａ〜１５ｅを制御することにより、バックライト１１が点灯消灯する複数通りの表示用点灯消灯パターンのそれぞれの表示用点灯消灯パターン毎に光センサ部２６が検知した複数通りの輝度検知結果から、バックライトブロック１５ａ〜１５ｅの各輝度及び／または色度を求めるための演算式である。
【０１９６】
まず、上述したように各バックライトブロック１５ａ〜１５ｅは、隣接する他のバックライトブロックに光がある程度伝搬するように予め設計されている。あるバックライトブロックが点灯しているとき、点灯しているバックライトブロックに隣接しているバックライトブロックの輝度が点灯しているバックライトブロックの１／２になるように光が伝搬するように予め設計されているとする。
【０１９７】
図８は、隣接するバックライトブロックに光が伝搬する様子を示す概略図であり、図８については、第１の実施の形態で説明したので、説明を省略する。
【０１９８】
ここで、各バックライトブロック１５ａ〜１５ｅは、それぞれ点灯した際、輝度ａ、ｂ、ｃ、ｄ、ｅで点灯するとする。
【０１９９】
上記の例では、調光部１８は、図３（ａ）、図３（ｂ）、図３（ｃ）、図３（ｄ）、及び図４（ａ）の各表示用点灯消灯パターン毎に光センサ部２６が検知した輝度を入力するとした。
【０２００】
この場合、図３（ａ）に示す表示用点灯消灯パターンの場合、光センサ部２６から調光部１８に入力される輝度をＡとすると、次の数８が成立する。
【０２０１】
（数８）
（１／２）ｂ＋ｃ＋（１／２）ｄ＋（１／４）ｅ＝Ａ
また、図３（ｂ）に示す表示用点灯消灯パターンの場合、光センサ部２６から調光部１８に入力される入力輝度をＢとすると、次の数９が成立する。
【０２０２】
（数９）
ｃ＋（１／２）ｄ＋（１／４）ｅ＝Ｂ
また、図３（ｃ）に示す表示用点灯消灯パターンの場合、光センサ部２６から調光部１８に入力される入力輝度をＣとすると、次の数１０が成立する。
【０２０３】
（数１０）
（１／２）ｄ＋（１／４）ｅ＝Ｃ
また、図３（ｄ）に示す表示用点灯消灯パターンの場合、光センサ部２６から調光部１８に入力される入力輝度をＤとすると、次の数１１が成立する。
【０２０４】
（数１１）
（１／４）ｅ＝Ｄ
また、図４（ａ）に示す表示用点灯消灯パターンの場合、光センサ部２６から調光部１８に入力される入力輝度をＥとすると、次の数１２が成立する。
【０２０５】
（数１２）
（１／４）ａ＝Ｅ
数８〜数１２は、複数のバックライトブロック１５ａ〜１５ｅのそれぞれの輝度であるａ、ｂ、ｃ、ｄ、ｅを未知数として、光センサ部２６から調光用の各点灯消灯パターン毎に、調光部１８に入力した入力輝度Ａ、Ｂ、Ｃ、Ｄ、Ｅを上記未知数で表した連立方程式と見ることが出来る。
【０２０６】
このように数８〜数１２を連立方程式と見て、未知数ａ、ｂ、ｃ、ｄ、ｅについて解けば各バックライトブロック１５ａ〜１５ｅの輝度は、入力輝度Ａ、Ｂ、Ｃ、Ｄ、Ｅを用いて次の数１３のように表すことが出来る。
【０２０７】
（数１３）
ａ＝４Ｅ
ｂ＝２（Ｆ−Ｂ）
ｃ＝（Ａ−Ｂ）
ｄ＝２（Ｃ−Ｄ）
ｅ＝４Ｄ
記憶部３１には、予め数１３の演算式を格納しておく。そうすれば、上述したように、演算部３２が、記憶部３１から読み込んだ演算式である数１３を演算することにより、各バックライトブロック１５ａ〜１５ｅのそれぞれの輝度を算出することが出来る。なお、色度を求める場合には、図１３に示す光検出素子３６ａ、３６ｂ、３６ｃのそれぞれが検出した輝度に基づいて、数７を演算すれば、赤色、緑色、青色のそれぞれの輝度が求まる。これら３原色の輝度から計算により色度を求めることが出来る。従って、色度を求める場合には、記憶部３１に３原色の輝度から色度を計算する演算式を記憶部３１に予め格納しておけばよい。
【０２０８】
なお、第２の実施の形態の輝度及び／または色度とは、具体的には、例えばＨＳＶモデルやＨＳＬモデル等の各種の色空間を含む概念である。そして、ＨＳＶモデルやＨＳＬモデルを用いれば、ＲＧＢモデルからＨＳＶモデルやＨＳＬモデル等の各種の色空間への変換も所定の演算式を計算することにより容易に行うことが出来る。
【０２０９】
このように、光センサ部２６をバックライトブロック１５ｃにしか設けていないにもかかわらず、各バックライトブロック１５ａ〜１５ｅの輝度及び／色度を求めることが出来る。従って、各バックライトブロック１５ａ〜１５ｅの輝度差や色度差を、調光部１８において、調光することが出来る。
【０２１０】
これにより、第２の実施の形態の液晶表示装置１は、第１の実施の形態と同様に、最適なホワイトバランスを保つことが出来、ＬＥＤ１３ａ〜１３ｅ、１４ａ〜１４ｅなどの光源のばらつきや温度変化時の色ずれを抑えることが出来る。
【０２１１】
また、第１の実施の形態と同様に、光センサ部２６を、バックライトブロック１５ｃにのみ設けているので、光センサ部をバックライト１１の分割された各バックライトブロック１５ａ〜１５ｅ毎に設ける必要がない。従って、液晶表示装置２７の製造コスト等の増加を抑制することが出来る。
【０２１２】
また、液晶表示装置２７の表示をさらに、高コントラスト化するために、バックライト１１の分割されたバックライトブロックの個数を増やしたとしても、必要な光センサ部２６の個数を増加させる必要がないので、コストの増加を十分抑えることが出来る。
【０２１３】
また、第２の実施の形態の液晶表示装置２７では、入力されてくる映像信号を液晶表示パネル１０に表示しながら、調光部１８がバックライト１１の調光を行うことが出来るので、調光する際に、映像の表示が途切れることがないという利点も得ることが出来る。
【０２１４】
なお、第２の実施の形態では、液晶表示パネル１０の対向基板に赤色、緑色、青色のカラーフィルタが設けられており、バックライト１１の光源であるＬＥＤ１３ａ〜１３ｅ、１４ａ〜１４ｅが射出する光の色が白色であるとして説明したが、これに限らず、第２の実施の形態における液晶表示装置２７を、いわゆるフィールドシーケンシャルカラー方式の液晶表示装置として動作させることも出来る。
【０２１５】
図９に示すように、１フレーム期間（または１フィールド期間）に、３原色である赤表示期間、緑表示期間（前半部分のみ図示しており、後半部分は赤色のタイミングチャートと同じである）、青表示期間（図示していないが、赤表示期間と同じタイミングチャートになる）が設けられている。そして、赤表示期間の前には黒挿入期間が設けられており、緑表示期間の前にも黒挿入期間が設けられており、また、同様に青表示期間の前にも黒挿入期間が設けられている（緑表示期間も前の黒挿入期間と青表示期間の前の黒挿入期間は、図９に図示されていないが、赤表示期間の前の黒挿入期間と同じタイミングチャートになる。）。
【０２１６】
以下、液晶表示装置２７が、フィールドシーケンシャルカラー方式である場合について説明する。
【０２１７】
まず、手短に説明すると、液晶表示装置２７がフィールドシーケンシャルカラー方式である場合には、上述した第２の実施の形態の動作を赤色の表示期間、緑色の表示期間、青色の表示期間でそれぞれ繰り返せばよい。
【０２１８】
すなわち、図１０に示すソースドライバ２は、赤色の表示期間、緑色の表示期間、及び青色の表示期間の各色の表示期間に、各色に対応する表示データの色に対応する電圧を液晶表示パネル１０に形成されている信号線に供給する。
【０２１９】
そして、ＬＥＤ１３ａ〜１３ｅ、１４ａ〜１４ｅは、赤色、青色、及び緑色の光を別々に射出することが出来る。
【０２２０】
バックライト制御部１９は、各色の表示期間にその色に対応する光を射出するようＬＥＤ１３ａ〜１３ｅ、１４ａ〜１４ｅを制御する。すなわち、バックライト制御部１９は、ＬＥＤ１３ａ〜１３ｅ、１４ａ〜１４ｅが、赤色の表示期間には赤色の光を射出し、緑色の表示期間には緑色の光を射出し、青色の表示期間には青色の光を射出するよう制御する。
【０２２１】
バックライト制御部１９は、調光モード判定部２０が、調光モードであると判定した場合、ＬＥＤ１３ａ〜１３ｅ、１４ａ〜１４ｅが射出する各色毎に、バックライトブロックのＬＥＤ１３ａ〜１３ｅ、１４ａ〜１４ｅが上述した複数通りの調光用点灯消灯パターンで点灯消灯するようにバックライト１１を制御する。
【０２２２】
そして、調光モード判定部２０が、調光モードであると判定した場合、演算部３２は、赤色、緑色、青色の各色毎に、上述した動作を行う。すなわち、演算部３２は、ＬＥＤ１３ａ〜１３ｅ、１４ａ〜１４ｅが射出する各色毎に、複数通りの輝度検知結果を用いて、記憶部３１に記憶された演算式を演算することにより、ＬＥＤ１３ａ〜１３ｅ、１４ａ〜１４ｅが射出する各色毎に、複数個のバックライトブロックの各輝度を算出する。
【０２２３】
そして、調光モード判定部２０が、調光モードであると判定した場合、ＬＥＤ１３ａ〜１３ｅ、１４ａ〜１４ｅが射出する各色毎に、複数個のバックライトブロック１５ａ〜１５ｅの算出された各輝度に基づいて、複数個のバックライトブロックの光源を調光する。
【０２２４】
このように、上述したように、液晶表示装置１は、フィールドシーケンシャルカラー方式の液晶表示装置にも適用することが出来る。
【０２２５】
なお、第１及び第２の実施の形態では、調光モード判定部２０は液晶表示装置の筐体に設けられた押しボタンであるとして説明したが、これに限らない。
【０２２６】
図１２は、図１に示す第１の実施の形態の液晶表示装置１または図１０に示す第２の実施の形態の液晶表示装置２７のうち、調光部１８やバックライト１１などの照明系の詳細を示す図である。図１２と図５との相違点は、調光モード判定部が異なっており、図１２には新たに液晶表示パネル１０の温度を検出する温度センサ２８が設けられている点である。
【０２２７】
つまり、図１２の温度センサ２８は、液晶表示パネル２の温度を検出し、調光モード判定部２０ａに通知する。
【０２２８】
そして、図１２の調光モード判定部２０ａは、前回調光部１８がバックライト１１の調光を行った際の温度を自らが有する書き換え可能な半導体メモリなどの記憶部（図示せず）に記憶しており、温度センサ２８から通知されてくる液晶表示パネル１０の温度が前回調光を行った時の温度から一定の値以上変化した場合に、調光モードであると判定する。
【０２２９】
このように、前回調光を行った時点の液晶表示パネル１０の温度から一定の値以上液晶表示パネル１０の温度が変化した場合に、調光モード判定部２０ａが調光モードであると判定し、調光モード判定部２０ａからの通知に従って、調光部１８は、バックライト１１の調光を行うことにより、温度変化による液晶表示パネル１０の輝度むらや色ずれの発生を容易に抑制することが出来る。このように、前回調光を行った時点から一定の値以上温度が変化した場合に調光を行うようにしても構わない。
【０２３０】
また、図５に示す調光モード判定部２０は押しボタンであったが、これに限らず、調光モード判定部２０は、押しボタンではなく、前回調光を行った時点から一定の時間が経過する毎に、調光モードであると判定しても構わない。
【０２３１】
さらに、第１及び第２の実施の形態では、液晶表示パネル１０が有する液晶層にＯＣＢモード液晶が用いられているとして説明したが、ＯＣＢモード液晶以外の液晶を用いても構わない。例えば、ＴＮ（ツイストネマチック）タイプの液晶層、ＳＴＮ（Ｓｕｐｅｒ−Ｔｗｉｓｔｅｄ  Ｎｅｍａｔｉｃ）モードの液晶層、ＤＳＭ（Ｄｙｎａｍｉｃ  Ｓｃａｔｔｅｒｉｎｇ  Ｍｏｄｅ：動的散乱モード）の液晶層、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ：電界制御複屈折モード）の液晶層、ＶＡ（Ｖｅｒｔｉｃａｌｌｙ  Ａｌｉｇｎｅｄ）  ｍｏｄｅの液晶層などを用いても構わない。なお、液晶表示パネル１０でＣＲＴのようなインパルス型の表示に近づけるためには、高速応答性を有する液晶を用いることがより好ましい。
【０２３２】
さらに、また、第１の実施の形態の液晶表示装置１、及び第２の実施の形態の液晶表示装置２７は、前述したように、従来の液晶表示装置１０１と同様にＯＣＢモードの液晶表示素子を用いた液晶表示装置であるとして説明した。すなわち、ＯＣＢモードの液晶表示素子を用いた方が、ＴＮ（Ｔｗｉｓｔｅｄ  Ｎｅｍａｔｉｃ）配向液晶表示パネルを用いるより高速応答性の点で好ましい。
【０２３３】
しかしながら、このことは、上述したように、第１の実施の形態の液晶表示装置１の液晶表示パネル１０または第２に実施の形態の液晶表示装置２７の液晶表示パネル１０が、ＯＣＢモード液晶表示素子を用いるものであることに限定するものではない。
【０２３４】
第１の実施の形態の液晶表示装置１の液晶表示パネル１０、または第２の実施の形態の液晶表示装置２７の液晶表示パネル１０として、ＴＮ（Ｔｗｉｓｔｅｄ  Ｎｅｍａｔｉｃ）配向液晶表示パネルなど、逆転移防止駆動を必要としない液晶層を用いた液晶表示パネルを用いて黒挿入駆動を行う場合についても、上記第１の実施の形態及び第２の実施の形態を以下のように適用することが出来る。
【０２３５】
すなわち、このような液晶表示装置の場合には、上記第１の実施の形態及び第２の実施の形態で説明した転移駆動を行う必要がない。それ以外は、第１の実施の形態または第２の実施の形態と同様である。
【０２３６】
つまりこのような液晶表示装置に対して、第１の実施の形態を適用する場合には、まず、調光モード判定部２０が調光モードであると判定しない場合には、図６のタイミングチャートに従って、図３（ａ）〜図３（ｅ）、図４（ａ）〜図４（ｅ）の表示用点灯消灯パターンになるように、バックライト制御部１９が、バックライト１１を制御すればよい。また、調光モード判定部２０が調光モードであると判定した場合には、バックライト制御部１９は、図７で説明したような調光用点灯消灯パターンで、バックライト１１を制御すればよい。
【０２３７】
また、このような液晶表示装置に対して、第２の実施の形態を適用する場合には、まず、調光モード判定部２０が調光モードであると判定するか否かにか関わらず、バックライト制御部１９ａが、図６のタイミングチャートに従って、図３（ａ）〜図３（ｅ）、図４（ａ）〜図４（ｅ）の表示用点灯消灯パターンになるように、バックライト制御部１９が、バックライト１１を制御すればよい。
【０２３８】
さらに、第１及び第２の実施の形態では、バックライト１１の光源はＬＥＤ１３ａ〜１３ｅ、１４ａ〜１４ｅであるとして説明したが、これに限らず、バックライト１１の光源として冷陰極管を用いても構わない。また、バックライト１１の光源としてＥＬ素子を用いた表示装置を用いても構わない。要するに、バックライト１１の光源として、高速応答性を有する光源を用いさえすればよい。
【０２３９】
さらに、第１及び第２の実施の形態では、バックライト１１の光源としてＬＥＤが、各バックライトブロックの両側に一つずつ設けられているとして説明したが、これに限らない。各バックライトブロックに関して、その片側に１個設けても構わない。なお、この場合、ＬＥＤが設けられている側とは反対側に光センサ部２６を設けてもよい。
【０２４０】
さらに、第１及び第２の実施の形態では、バックライト１１が５個のバックライトブロック１５ａ〜１５ｅに分割されているとしたが、これに限らない。バックライト１１が少なくとも２個以上のバックライトブロックに分割されていればよく、また、多くとも液晶表示パネルの縦方向の画素数（走査線の本数）に等しい個数のバックライトブロックに分割されていればよい。なお、液晶表示パネルの縦方向の画素数（走査線の本数）の１／５程度の個数から走査線の本数に等しい個数のバックライトとしては、例えばＥＬ表示装置を用いて構成することも可能である。
【０２４１】
さらに、第１及び第２の実施の形態では光センサ部２６を１個だけ設けるとして説明したが、これに限らない。バックライト１１を構成する複数個のバックライトブロックのうち、少なくとも一つ以上のバックライトブロックに配置し、多くとも複数個のバックライトブロックの個数より一つ少ない個数のバックライトブロックに光センサ部を配置しさえすればよい。
【０２４２】
例えば、図１４は、バックライト１１が１０個のバックライトブロック１５ａ〜１５ｅ、１５’ａ〜１５’ｅに分割されており、２個の光センサ部２６ａ、２６ｂが設けられている例を示している。
【０２４３】
そして、バックライトブロック１５ｅとバックライトブロック１５’ａとの間の仕切部４３は、バックライトブロック１５ｅの光がバックライトブロック１５’ａの側に完全に漏れず、かつバックライトブロック１５‘ａの光がバックライトブロック１５ｅの側に完全に漏れないように構成されている。そして、バックライトブロック１５ｃには、光センサ部２６ａが配置されており、バックライトブロック１５’ｃにも光センサ部２６ｂが配置されている。
【０２４４】
このように図１４に示すバックライト１１は、仕切部４３により、バックライトブロック１５ａ〜１５ｅの５個のバックライトブロックから構成される第１グループ４１と、バックライトブロック１５’ａ〜１５’ｅから構成される第２グループ４２とにグループ分けされている。
【０２４５】
このような場合、第１グループ４１は、図２に示すバックライト１１と同様の構成となり、また、第２グループ４２も、図２に示すバックライト１１と同様の構成となる。
【０２４６】
従って、第１グループ４１に対して、上記第１の実施の形態または第２の実施の形態を適用することが出来る。また、第２グループについても、上記第１の実施の形態または第２の実施の形態を適用することが出来る。
【０２４７】
このように、バックライトブロックの光が隣接する他のバックライトブロックへ完全に漏れないようにする仕切部４３を設けて、バックライト１１を複数グループに分け、各グループ毎に光センサ部を１個づつ配置することにより、上記第１の実施の形態または第２の実施の形態を複数グループの各グループに適用することが出来る。
【０２４８】
例えば、バックライト１１が１５個のバックライトブロックから構成されている場合には、図１４に示すような仕切部４３を２箇所に設け、各グループの中央のバックライトブロックにそれぞれ１個光センサ部を配置することによりバックライトブロックを３つのグループに分けることが出来る。そして、この３つのグループに対してそれぞれ上記第１の実施の形態または第２の実施の形態を適用することによりバックライト１１を調光することが出来る。
【０２４９】
なお、上述したように、仕切部４３は、バックライトブロック１５ｅの光がバックライトブロック１５’ａの側に完全に漏れず、かつバックライトブロック１５’ａの光がバックライトブロック１５ｅの側に完全に漏れないように構成されているとして説明した。このようにした場合、仕切部４３に対応する表示画面に仕切部４３に対応する筋が表示される可能性がある。このように表示画面に仕切部４３に対応する筋が表示されてしまう場合には、仕切部４３が、他の仕切部に比べて格段に透過率が低い構成とすることにより仕切部４３に対応する筋が表示画面に表示されることを回避することが出来る。
【０２５０】
さらに、第１及び第２の実施の形態では、各バックライトブロック１５ａ〜１５ｅは、あるバックライトブロックが点灯しているとき、点灯しているバックライトブロックに隣接しているバックライトブロックの輝度が点灯しているバックライトブロックの１／２になるように光が伝搬するように予め設計されているとするとして説明したが、これに限らない。
【０２５１】
点灯しているバックライトブロックに隣接しているバックライトブロックの輝度が点灯しているバックライトブロックの１／３や４／１等になるように光が伝搬するように予め設計されていても構わない。さらに一般的には、点灯しているバックライトブロックに隣接しているバックライトブロックの輝度が点灯しているバックライトブロックの１／Ｒになるように光が伝搬するように予め設計されていても構わない。ここでＲは、１より大きい実数とする。この場合でも、第１及び第２の実施の形態で説明した記憶部３１に記憶されている演算式の導出方法と同様の手順により記憶部３１に記憶される演算式を導出することが出来る。
【０２５２】
また、光センサ部２６の個数が２個以上の場合は、別々のバックライトブロックに光センサ部２６を設置し、第一の光センサ部２６の設置されたバックライトブロックが点灯した場合と消灯した場合に、第一および第二の光センサ部２６の輝度を測定し、その輝度差を演算することで、前述のような光の伝搬する量（１／Ｒ）を算出することができ、あらかじめ１／Ｒになるように予め設計する必要がなくなる。
【０２５３】
さらに、各バックライトブロック毎に、隣接する他のバックライトブロックに伝搬する光量が異なっているように予め設計されていても構わない。このような場合であっても、第１及び第２の実施の形態で説明した記憶部３１に記憶されている演算式の導出方法と同様の手順により記憶部３１に記憶されている演算式を導出することが出来る。
【０２５４】
さらに、第１及び第２の実施の形態では、各バックライトブロック１５ａ〜１５ｅは、あるバックライトブロックが点灯しているとき、点灯しているバックライトブロックに隣接しているバックライトブロックの輝度が点灯しているバックライトブロックの１／２になるように光が伝搬するように予め設計されているとするとして説明したが、これに限らない。各バックライトブロック１５ａ〜１５ｅが隣接する他のバックライトブロックに伝搬する光量を設計時には決めておかず、バックライト１１が製造された後に、各バックライトブロック１５ａ〜１５ｅのいずれかが点灯しているとき、隣接している他のバックライトブロックの輝度の値を計測することにより、各バックライトブロックが点灯しているときに隣接するバックライトブロック（消灯している）の輝度の値の割合を示す数値（上記の１／２等の数値に対応）を決定して、その決定した数値を用いても構わない。この場合も、第１及び第２の実施の形態で説明した記憶部３１に記憶されている演算式の導出方法と同様の手順により記憶部３１に記憶されている演算式を導出することが出来る。
【０２５５】
さらに、第１及び第２の実施の形態では、調光部１８が、記憶部３１及び演算部３２を備えているとして説明したが、これに限らない。記憶部３１及び演算部３２が、調光部１８とは別に設けられていても構わない。
【０２５６】
尚、本発明のプログラムは、上述した本発明の液晶表示装置の全部又は一部の部、回路、及び素子等の機能をコンピュータにより実行させるためのプログラムであって、コンピュータと協働して動作するプログラムである。
【０２５７】
又、本発明の記録媒体は、上述した本発明の液晶表示装置の全部又は一部の部、回路、及び素子等の全部又は一部の機能をコンピュータにより実行させるためのプログラムを記録した記録媒体であり、コンピュータにより読み取り可能且つ、読み取られた前記プログラムが前記コンピュータと協動して前記機能を実行する記録媒体である。
【０２５８】
尚、本発明の上記「一部の部、回路、及び素子等」とは、それらの複数の部の内の、一つ又は幾つかの部を意味する。
【０２５９】
又、本発明の上記「部、回路、及び素子等の機能」とは、前記部の全部又は一部の機能を意味する。
【０２６０】
又、本発明のプログラムの一利用形態は、コンピュータにより読み取り可能な、ＲＯＭ等の記録媒体に記録され、コンピュータと協働して動作する態様であっても良い。
【０２６１】
又、本発明のプログラムの一利用形態は、インターネット等の伝送媒体、光・電波・音波等の伝送媒体中を伝送し、コンピュータにより読みとられ、コンピュータと協働して動作する態様であっても良い。
【０２６２】
又、上述した本発明のコンピュータは、ＣＰＵ等の純然たるハードウェアに限らず、ファームウェアや、ＯＳ、更に周辺機器を含むものであっても良い。
【０２６３】
尚、以上説明した様に、本発明の構成は、ソフトウェア的に実現しても良いし、ハードウェア的に実現しても良い。
【産業上の利用可能性】
【０２６４】
本発明に係る液晶表示装置、液晶表示装置の駆動方法、記録媒体、及びプログラムは、コストの増加を抑えつつ、光源のばらつき等による色ずれを抑えることが出来るという効果を有し、複数のバックライトブロックに分割されたバックライトを備えた液晶表示装置、液晶表示装置の駆動方法、プログラム、及び記録媒体等に有用である。
【図面の簡単な説明】
【０２６５】
【図１】本発明の第１の実施の形態における液晶表示装置の構成を示すブロック図
【図２】（ａ）本発明の第１及び第２の実施の形態における液晶表示装置のバックライトを液晶表示パネルの表示面と直交する方向から見た平面図  （ｂ）本発明の第１及び第２の実施の形態における液晶表意装置のバックライトの側面図
【図３】（ａ）本発明の第１及び第２の実施の形態におけるバックライトブロックの点灯消灯パターンを示す図  （ｂ）本発明の第１及び第２の実施の形態におけるバックライトブロックの点灯消灯パターンを示す図  （ｃ）本発明の第１及び第２の実施の形態におけるバックライトブロックの点灯消灯パターンを示す図  （ｄ）本発明の第１及び第２の実施の形態におけるバックライトブロックの点灯消灯パターンを示す図  （ｅ）本発明の第１及び第２の実施の形態におけるバックライトブロックの点灯消灯パターンを示す図
【図４】（ａ）本発明の第１及び第２の実施の形態におけるバックライトブロックの点灯消灯パターンを示す図  （ｂ）本発明の第１及び第２の実施の形態におけるバックライトブロックの点灯消灯パターンを示す図  （ｃ）本発明の第１及び第２の実施の形態におけるバックライトブロックの点灯消灯パターンを示す図  （ｄ）本発明の第１及び第２の実施の形態におけるバックライトブロックの点灯消灯パターンを示す図  （ｅ）本発明の第１及び第２の実施の形態におけるバックライトブロックの点灯消灯パターンを示す図
【図５】本発明の第１の実施の形態における液晶表示装置のうち、調光部やバックライト１１などの照明系の詳細を示す図
【図６】本発明の第１及び第２の実施の形態における液晶表示装置のタイミングチャートの一例を示す図
【図７】（ａ）本発明の第１及び第２の実施の形態におけるバックライトの調光用点灯消灯パターンを示す図  （ｂ）本発明の第１及び第２の実施の形態におけるバックライトの調光用点灯消灯パターンを示す図  （ｃ）本発明の第１及び第２の実施の形態におけるバックライトの調光用点灯消灯パターンを示す図  （ｄ）本発明の第１及び第２の実施の形態におけるバックライトの調光用点灯消灯パターンを示す図  （ｅ）本発明の第１及び第２の実施の形態におけるバックライトの調光用点灯消灯パターンを示す図  （ｆ）本発明の第１及び第２の実施の形態におけるバックライトの調光用点灯消灯パターンを示す図
【図８】本発明の第１及び第２の実施の形態における隣接するバックライトブロックに光が伝搬する様子を示す図
【図９】本発明の第１及び第２の実施の形態における液晶表示装置がフィールドシーケンシャルカラー方式の液晶表示装置である場合のタイミングチャートの一例を示す図
【図１０】本発明の第２の実施の形態における液晶表示装置の構成を示すブロック図
【図１１】本発明の第２の実施の形態の液晶表示装置のうち、調光部やバックライトなどの照明系の詳細を示す図
【図１２】本発明の第１または第２の実施の形態の液晶表示装置のうち、調光部やバックライトなどの照明系の詳細を示す図
【図１３】本発明の第１及び第２の実施の形態の液晶表示装置で用いられる光センサ部の一例を示す図
【図１４】本発明の第１及び第２の実施の形態の液晶表示装置で用いられるバックライトの別の構成を示す図
【図１５】従来のＯＣＢモードの液晶表示素子が有する液晶分子の配向状態を模式的に示した断面図
【図１６】従来の液晶表示装置の構成を示すブロック図
【図１７】（ａ）従来のバックライトを液晶表示パネルの表示面と直交する方向から見た平面図  （ｂ）従来のバックライトの側面図
【図１８】本発明の第１及び第２の実施の形態の液晶表示装置で用いられるバックライトの構成を示す分解斜視図
【符号の説明】
【０２６６】
１  液晶表示装置
２  ソースドライバ
３  ゲートドライバ
４  コントローラ
１０  液晶表示パネル
１１  バックライト
１２ａ、１２ｂ、１２ｃ、１２ｄ、１２ｅ  導光板
１３ａ、１３ｂ、１３ｃ、１３ｄ、１３ｅ  ＬＥＤ
１４ａ、１４ｂ、１４ｃ、１４ｄ、１４ｅ  ＬＥＤ
１５ａ、１５ｂ、１５ｃ、１５ｄ、１５ｅ  バックライトブロック
１６  入力電源
１６ａ、１６ｂ、１６ｃ、１６ｄ、１６ｅ  光センサ部
１７  液晶駆動電圧発生回路
１８  調光部
１９、１９ａ  バックライト制御部
２０、２０ａ  調光モード判定部
２１  信号処理部
２２  フレームメモリ
２３  タイミング制御部
２４  Ｄ／Ａ変換部
２５  シフトレジスタ
２６  光センサ部
２７  液晶表示装置
２８  温度センサ
３１  記憶部
３２  演算部
３３  調光制御部
【図１】
2008096928.tif 000003
【図２】
2008096928.tif 000004
【図３】
2008096928.tif 000005
【図４】
2008096928.tif 000006
【図５】
2008096928.tif 000007
【図６】
2008096928.tif 000008
【図７】
2008096928.tif 000009
【図８】
2008096928.tif 000010
【図９】
2008096928.tif 000011
【図１０】
2008096928.tif 000012
【図１１】
2008096928.tif 000013
【図１２】
2008096928.tif 000014
【図１３】
2008096928.tif 000015
【図１４】
2008096928.tif 000016
【図１５】
2008096928.tif 000017
【図１６】
2008096928.tif 000018
【図１７】
2008096928.tif 000019
【図１８】
2008096928.tif 000020